(57)【要約】  圧延前のキスロール締め込み状態や圧延中に発生する圧延機の上下左右における作業ロールのオフセット量の偏差を解消し、板反りや作業ロール〜補強ロール間のスラスト力に因る蛇行やキャンバー等の解消を目的とする。  そのために、電動機で駆動される上下一対の作業ロールと、上下一対の補強ロールとを有する板圧延機であって、該上下各作業ロールの作業側および駆動側に各１箇所以上の該作業ロール胴部または軸部に、圧延機の入側または出側から略水平方向の外力を負荷する装置を有し、該外力は、作業ロールチョックを介して圧延機ハウジングのプロジェクトブロック、または、補強ロールチョックに繋がる作業ロールチョック支持部材で支持され、かつ、前記作業ロールと補強ロールの軸心位置の圧延方向オフセット量を該作業ロール半径と該補強ロール半径の和で除した値が上下ロールとも０．００２５以下であることを特徴とする板圧延機とそれを使用した板圧延方法を提供する。
2009113413.tif 000002
【特許請求の範囲】
【請求項１】
電動機によって駆動される上下一対の作業ロールと、該作業ロールに接して該作業ロールに負荷される圧延反力を支持する上下一対の補強ロールとを有する板圧延機であって、
該上下作業ロールのそれぞれに対して圧延機の幅方向の中心を挟んで作業側および駆動側に各１箇所以上、合計２箇所以上の位置の該作業ロール胴部または軸部に、圧延機の入側または出側のどちらか片方から略水平方向の外力を負荷する装置を有し、
前記作業ロールに負荷された水平方向外力は、作業ロールチョックを介して圧延機ハウジングのプロジェクトブロック、または、補強ロールチョックに繋がる作業ロールチョック支持部材により支持されており、
かつ、前記作業ロール軸心位置と補強ロール軸心位置の圧延方向オフセット量を該作業ロール半径と該補強ロール半径の和で除した値が上下ロールともに０．００２５以下であることを特徴とする板圧延機。
【請求項２】
さらに、前記上下一対の補強ロールのそれぞれに対して圧延機の幅方向の中心を挟んで作業側および駆動側に各１箇所以上、合計２箇所以上の位置の該補強ロール胴部または軸部に略水平方向の外力を負荷する装置を有することを特徴とする請求の範囲１に記載の板圧延機。
【請求項３】
前記補強ロールに負荷する水平方向外力の方向は、前記作業ロールに負荷される略水平方向外力と同じ方向であることを特徴とする請求の範囲２に記載の板圧延機。
【請求項４】
前記作業ロールに略水平方向の外力を負荷する装置は、該作業ロール胴部の端部近傍に力を負荷する位置に設けられていることを特徴とする請求の範囲１〜３のいずれか一項に記載の板圧延機。
【請求項５】
前記作業ロールに略水平方向の外力を負荷する装置は、該作業ロールチョックの外側の作業ロール軸端部に力を負荷する位置に設けられていることを特徴とする請求の範囲１〜３のいずれか一項に記載の板圧延機。
【請求項６】
前記作業ロールに略水平方向の外力を負荷する装置は、該作業ロール胴部の端部近傍に力を負荷する位置、および、該作業ロールチョックの外側の作業ロール軸端部に力を負荷する位置に設けられていることを特徴とする請求の範囲１〜３のいずれか一項に記載の板圧延機。
【請求項７】
前記作業ロールに略水平方向の外力を負荷する装置は、該作業ロール胴部の端部近傍に力を負荷する位置に設けられ、かつ、該作業ロール胴部の中央部には、該作業ロール胴部の端部近傍に負荷される該水平方向外力の合計値よりも小さくかつ逆方向に略水平方向の外力を負荷する装置が設けられていることを特徴とする請求の範囲１〜３のいずれか一項に記載の板圧延機。
【請求項８】
前記作業ロールに略水平方向の外力を負荷する装置は、該作業ロールチョックの外側の作業ロール軸端部に力を負荷する位置に設けられ、かつ、該作業ロール胴部の中央部には、該作業ロール軸端部に負荷される該水平方向外力と同方向に略水平方向の外力を負荷する装置が設けられていることを特徴とする請求の範囲１〜３のいずれか一項に記載の板圧延機。
【請求項９】
前記作業ロールチョックと、圧延機ハウジングのプロジェクトブロック、または、補強ロールチョックに繋がる作業ロールチョック支持部材との間に、前記作業ロールに負荷される水平方向荷重を測定する作業ロール水平方向荷重検出装置を設けたことを特徴とする請求の範囲１〜８のいずれか一項に記載の板圧延機。
【請求項１０】
前記作業ロールに略水平方向の外力を負荷する装置は、該作業ロールと接触する部分がローラ形式であることを特徴とする請求の範囲１〜９のいずれか一項に記載の板圧延機。
【請求項１１】
前記作業ロールに略水平方向の外力を負荷する装置は、流体圧力を介して該作業ロールに力を伝達することができる静圧軸受形式であることを特徴とする請求の範囲１〜９のいずれか一項に記載の板圧延機。
【請求項１２】
電動機によって駆動される上下一対の作業ロールと、該作業ロールに接して該作業ロールに負荷される圧延反力を支持する上下一対の補強ロールと、該上下作業ロールのそれぞれに対して圧延機の幅方向の中心を挟んで作業側および駆動側に各１箇所以上、合計２箇所以上の位置の該作業ロール胴部または軸部に略水平方向の外力を負荷する装置を有し、前記作業ロールに負荷された水平方向外力は、作業側および駆動側の該作業ロールチョックおよび水平方向負荷を測定するための作業ロール水平方向荷重検出装置を介して、圧延機ハウジングのプロジェクトブロックまたは補強ロールチョックに繋がる作業ロールチョック支持部材で支持し、かつ、該作業ロール軸心位置と該補強ロール軸心位置の圧延方向オフセット量を該作業ロール半径と該補強ロール半径の和で除した値が０．００２５以下であり、さらに圧延荷重を測定するための荷重検出装置を圧延機の作業側および駆動側それぞれに有する板圧延機による板圧延方法であって、
圧延作業を開始する前の圧下位置零調作業において、ロール回転状態で該板圧延機の圧下装置を操作してキスロール締め込み状態として、該圧延荷重測定用の荷重検出装置による作業側荷重測定値と駆動側荷重測定値の合計値を予め与えられた零調荷重に設定し、前記作業ロール水平方向荷重検出装置の出力が作業側および駆動側それぞれ予め決められた値になるように前記作業側および駆動側の水平方向外力負荷装置から作業ロールに負荷する水平方向外力を調整し、この状態を維持しつつ前記圧延荷重測定用の荷重検出装置による作業側荷重測定値と駆動側荷重測定値とが等しくなるように圧下位置の作業側と駆動側のバランスを調整して圧下位置零点を決定し、この圧下位置零点に基づいて圧延作業を実施することを特徴とする板圧延方法。
【請求項１３】
電動機によって駆動される上下一対の作業ロールと、該作業ロールに接して該作業ロールに負荷される圧延反力を支持する上下一対の補強ロールと、該上下作業ロールのそれぞれに対して圧延機の幅方向の中心を挟んで作業側および駆動側に各１箇所以上、合計２箇所以上の位置の該作業ロール胴部または軸部に略水平方向の外力を負荷する装置を有し、前記作業ロールに負荷された水平方向外力は、作業側および駆動側の該作業ロールチョックおよび水平方向負荷を測定するための作業ロール水平方向荷重検出装置を介して、圧延機ハウジングのプロジェクトブロックまたは補強ロールチョックに繋がる作業ロールチョック支持部材で支持し、かつ、該作業ロール軸心位置と該補強ロール軸心位置の圧延方向オフセット量を該作業ロール半径と該補強ロール半径の和で除した値が０．００２５以下である板圧延機による板圧延方法であって、
前記作業ロール水平方向荷重検出装置の出力が作業側および駆動側それぞれ予め決められた値になるように前記作業側および駆動側の水平方向外力負荷装置から作業ロールに負荷する水平方向外力を調整し、この状態を維持しつつ圧延作業を実施することを特徴とする板圧延方法。
【発明の詳細な説明】
【技術分野】
【０００１】
本発明は、電動機によって駆動される作業ロールと、該作業ロールに負荷される圧延反力を支持する補強ロールとを有する板圧延機およびそれを用いた板圧延方法に関する。
【背景技術】
【０００２】
電動機によって駆動される作業ロールと、該作業ロールに負荷される圧延反力を支持する補強ロールとを有する板圧延機においては、作業ロール軸心位置と補強ロール軸心位置とをずらして一定間隔の圧延方向オフセットを設け、圧延反力の水平方向（特に断りがない限り、水平方向とは圧延方向をさす）分力を生じさせて作業ロールを押付けることにより、安定した形状の板を圧延する方法が採用されており、従来から種々の提案がなされている。
例えば、下記特許第２７９６４６５号公報（特許第２７９６４６５号公報）には、作業ロールチョックを水平方向に押圧する構造のクロスロール圧延機が開示されている。
しかし、この特許第２７９６４６５号公報の圧延機は、作業ロールチョックのみを押圧する構造であるため、作業ロールチョックと作業ロールとの間に存在する作業ロールベアリングのガタに起因する作業ロールオフセット量の変動を抑制することはできないという問題点があった。
また、下記特許第２９７２４０１号公報には、圧延機の入出側に作業ロールを水平方向に支持するサポートローラを配備した板圧延機が開示されている。
この特許第２９７２４０１号公報の圧延機の作業ロールは、硬質材、極薄材の圧延用の小径作業ロールを前提としており、直接電動機で駆動されているものではなく、補強ロールを通じて間接的に駆動されている。間接駆動の場合、駆動力伝達のため補強ロールから作業ロールに大きな水平力が作用し、圧延荷重の水平方向力との相互作用により、不安定現象の原因となっていた。特に小径作業ロールの場合は、水平方向作業ロールたわみが大きくなり不安定現象が助長されるため、このような水平方向サポートローラにより、作業ロールの小径化と剛性アップの両立が必要だった。
しかし、本圧延機は、小径作業ロールの剛性を著しく大きくすることによる、たわみ解消と作業ロール径の最小化を目的としているため、圧延制御する上での基準となるゼロ点調整や、該ゼロ点調整状態の維持という課題は解決されていない。
特許第２８８５１０２号公報には、作業ロールの片側に水平方向支持のためのサポートローラを配備した板圧延機が開示されている。
しかし、この特許第２８８５１０２号公報の圧延機も特許第２９７２４０１号公報の圧延機と同様、小径作業ロールであって、間接駆動型の圧延機である。特許第２９７２４０１号公報と同様に、小径ロールのために、ロールの剛性が小さく、水平方向のたわみが生じ易い。上下の作業ロールでたわみ差が生じると、圧延が不安定となるため、水平方向の作業ロール剛性を高め、上下の作業ロールのたわみ差が生じないようコントロールするため、上下の作業ロールに水平方向のサポートローラを設置したものである。
この圧延機に用いる当該サポートローラは、作業ロールのオフセットによって生じる圧延反力の水平方向分力と逆方向の力を加えて作業ロールを支持する構造となっているため、作業ロールの軸心位置を安定化させることができなかった。そして、特許第２９７２４０１号公報の作業ロールと同様に、圧延制御する上での基準となるゼロ点調整や、該ゼロ点調整状態の維持という課題は解決されていない。
特許第２９６６１７２号公報には、作業ロールの片側又は両側に作業ロールに水平方向たわみを与えるための中間ロールを配備した板圧延機が開示されている。これは、作業ロールのプロフィール（特に被圧延材のパスライン方向の凹凸）により、圧延材の形状をコントロールするため、積極的に作業ロールにたわみを付加するものである。そのため、中間ロールは先細り構造となっており、それに沿うように作業ロールをたわませるため、軸受け部にベンディング力を付与する構造となっている。
しかし、この特許第２９６６１７２号公報の圧延機に用いられている作業ロール軸端部は水平方向ベンディング力を付与して荷重制御で支持する構造となっており、作業ロールオフセット位置を厳密に制御する構造とはなっていないという問題点があった。そして、ゼロ点調整や、該ゼロ点調整状態の維持という、圧延制御をする上での基準点が定まらないという問題点は残ったままである。
特開平１０−２７７６１９号公報には、上下作業ロールのどちらか一方に水平力を付与する板圧延機が開示されている。
この特開平１０−２７７６１９号公報の圧延機は、作業ロールの軸心を補強ロールの軸心から、圧延出側方向へオフセットされた圧延機であって、圧延材が圧延機を抜けたとき、ロールギャップが小さいと上下作業ロールが接触し、上下作業ロールの径差により、大径ロールが圧延入側方向に移動することを防止するため大径側のロールに水平力付与装置を設置し、大径作業ロールを圧延出側方向に押し付ける構造となっている。
しかし、特開平１０−２７７６１９号公報の発明による水平力付与は、圧延材が圧延機を抜け、上下作業ロールが接触したときに、大径作業ロールのみに適用することを前提としているため、例えば、上作業ロールが大径で下作業ロールに水平力付与装置がない場合、上下作業ロール間にオフセット量の偏差を生じ、圧延材の反りの発生原因となることに加え、下作業ロールと下補強ロール間に微小クロス角、そしてスラスト力が発生して、蛇行やキャンバーが生ずるという問題点があった。
特表ＷＯ０１／０６４３６０号公報には、圧延機の作業ロールのロール軸受箱を介して、ロールに上下方向のバランス力又はベンダー力を与える第一の押圧装置と、水平面内で圧延ロール軸と直交する方向の押圧力を与える第二の押圧装置を備える圧延機が開示されている。
しかし、これら押圧装置による外力は、軸受箱を介して付与されるため、特許第２７９６４６５号公報と同様に、作業ロール軸受箱と作業ロールとの間に存在する作業ロールベアリングのガタに起因する作業ロールオフセット量の変動を抑制することはできないという問題点があった。
また、作業ロール駆動の４段圧延機や６段圧延機においては、作業ロールの水平面内での位置を安定化するため、例えば作業ロール直径８００ｍｍ、補強ロール直径１６００ｍｍ程度の熱延仕上圧延機では、作業ロール軸心位置と該補強ロール軸心位置の圧延方向オフセット量を６〜１３ｍｍ程度に設定し、圧延荷重の水平方向分力すなわちオフセット分力を作業ロールに与えて、作業ロールチョックを圧延機ハウジングのプロジェクトブロック部または補強ロールチョックに繋がる作業ロールチョック支持部材に押し付けて作業ロール位置を安定化させていた。
しかし、オフセット分力は圧延荷重の分力であるため，圧延材の咬み込み時に瞬間的に負荷されるため、作業ロールオフセット量に上下・左右偏差を生じ、圧延材の反りや作業ロール〜補強ロール間スラスト力の発生に繋がるという問題点があった。
【発明の開示】
【０００３】
本発明は、前述のような従来技術の問題点を解決し、圧延中や圧延前の零点調整作業等のキスロール締め込み状態で発生する圧延機の上下および左右（作業側ＷＳ（Ｗｏｒｋ−ｓｉｄｅ）／駆動側ＤＳ（Ｄｒｉｖｅ−ｓｉｄｅ））における作業ロールのオフセット量の偏差を厳密に解消し、板反りや作業ロール〜補強ロール間に生じるスラスト力に起因する蛇行やキャンバー等の問題を解消することができる板圧延機および板圧延方法を提供することを課題とする。
本発明者は、前述の課題について鋭意検討した結果、板圧延操業において重大なトラブルに繋がる問題である圧延材の反りや蛇行およびキャンバーの問題に関して、圧延中の作業ロールオフセット量の変動が重大な関与をしていることを見出した。
例えば、作業ロールオフセット量の圧延機の上下偏差が０．２ｍｍ程度変動することで、圧延材の反りやうねりが大きく変化すること、また作業ロールオフセット量の左右差（作業側ＷＳと駆動側ＤＳの差）が０．２ｍｍ程度変動することで、作業ロール〜補強ロール間のスラスト係数が約０．００４程度、すなわち１０００ｔｆの圧延荷重に対して４ｔｆの有意なスラスト力が発生することを知見した。
作業ロール〜補強ロール間に作用するスラスト力は圧延機の構造や寸法にも左右されるが、ほぼ同程度の圧延荷重の左右差として顕在化するため、例えば、駆動側および作業側の圧下装置の圧下位置零点調整を圧延荷重測定用荷重検出装置の出力によって行う場合、作業ロール〜補強ロール間のスラスト力が外乱となり、正確な圧下位置零点調整が実施できず蛇行やキャンバー等の問題の発生原因にもなる。また，圧延中においても，スラスト力起因の圧延荷重左右差は，ミル変形の左右差を通じて圧下率の左右差そして圧延材の蛇行を誘発することになる．さらに作業ロール量の左右差はそれ自身で圧延材の水平面内での進入角度の微小な誤差になるので，この状態で圧延を続けることで圧延材の蛇行に直接的に繋がる．そこで本発明では、作業ロールベアリングのガタや作業ロールネック部の変形も考慮した上で、作業ロールオフセット量の上下および左右偏差を厳密に解消して安定圧延を実現する技術を提供する。
また、オフセット分力は圧延荷重の分力であるため、圧延材の咬み込み時に瞬間的に負荷され、その瞬間に、作業ロールチョック〜ハウジング間のガタ、作業ロールベアリングのガタ、さらに作業ロールネック部の変形等によって、作業ロールはオフセット分力の方向に大略１ｍｍ程度水平方向に移動する。
本発明者は、このとき圧延材先端形状の不均一や作業ロール表面粗度の不均一等によって、作業ロール〜圧延材間に作用する摩擦力の挙動が上下および左右で不均一となることがあり、上記の作業ロールの瞬間的な水平方向移動がこれを助長し、この時に作業ロールオフセット量に上下および／または左右偏差を生じ、圧延材の反りや作業ロール〜補強ロール間スラスト力の発生に繋がることを知見した。
そこで作業ロールオフセット量を現状の１／２以下，好ましくは零にして，咬み込み時に瞬間的に発生するオフセット分力を現状の１／２以下、好ましくは零にして，作業ロールの水平方向位置を安定化させるために必要な水平方向力は圧延開始前から専用の装置にて与えておくことにより、圧延材咬み込み時の作業ロール位置を安定化することができ、反りや蛇行およびキャンバーの発生を防止することが可能となると考えた。
本発明者は、これら課題解決の基本的考え方に沿って、本発明を成すに至った。
その結果、圧延方向オフセット力に頼ることなく、作業ロールに略水平方向の外力を負荷する装置を設けることにより、圧延前の零点調整作業等のキスロール締め込み状態や圧延中に発生する圧延機の上下および左右（作業側ＷＳ／駆動側ＤＳ）における作業ロールのオフセット量の偏差を厳密に解消し、板反りや作業ロール〜補強ロール間に生じるスラスト力に起因する蛇行やキャンバー等の問題を解消することができる板圧延機および板圧延方法を提供するものである。
その要旨は、以下のとおりである。
（１）電動機によって駆動される上下一対の作業ロールと、該作業ロールに接して該作業ロールに負荷される圧延反力を支持する上下一対の補強ロールとを有する板圧延機であって、該上下作業ロールのそれぞれに対して圧延機の幅方向の中心を挟んで作業側および駆動側に各１箇所以上、合計２箇所以上の位置の該作業ロール胴部または軸部に、圧延機の入側または出側のどちらか片方から略水平方向の外力を負荷する装置を有し、前記作業ロールに負荷された水平方向外力は、作業ロールチョックを介して圧延機ハウジングのプロジェクトブロック、または、補強ロールチョックに繋がる作業ロールチョック支持部材により支持されており、
かつ、前記作業ロール軸心位置と補強ロール軸心位置の圧延方向オフセット量を該作業ロール半径と該補強ロール半径の和で除した値が上下ロールともに０．００２５以下であることを特徴とする板圧延機。
（２）さらに、前記上下一対の補強ロールのそれぞれに対して圧延機の幅方向の中心を挟んで作業側および駆動側に各１箇所以上、合計２箇所以上の位置の該補強ロール胴部または軸部に略水平方向の外力を負荷する装置を有することを特徴とする（１）に記載の板圧延機。
（３）前記補強ロールに負荷する水平方向外力の方向は、前記作業ロールに負荷される略水平方向外力と同じ方向であることを特徴とする（２）に記載の板圧延機。
（４）前記作業ロールに略水平方向の外力を負荷する装置は、該作業ロール胴部の端部近傍に力を負荷する位置に設けられていることを特徴とする（１）乃至（３）のいずれか一項に記載の板圧延機。
（５）前記作業ロールに略水平方向の外力を負荷する装置は、該作業ロールチョックの外側の作業ロール軸端部に力を負荷する位置に設けられていることを特徴とする（１）乃至（３）のいずれか一項に記載の板圧延機。
（６）前記作業ロールに略水平方向の外力を負荷する装置は、該作業ロール胴部の端部近傍に力を負荷する位置、および、該作業ロールチョックの外側の作業ロール軸端部に力を負荷する位置に設けられていることを特徴とする（１）乃至（３）のいずれか一項に記載の板圧延機。
（７）前記作業ロールに略水平方向の外力を負荷する装置は、該作業ロール胴部の端部近傍に力を負荷する位置に設けられ、かつ、該作業ロール胴部の中央部には、該作業ロール胴部の端部近傍に負荷される該水平方向外力の合計値よりも小さくかつ逆方向に略水平方向の外力を負荷する装置が設けられていることを特徴とする（１）乃至（３）のいずれか一項に記載の板圧延機。
（８）前記作業ロールに略水平方向の外力を負荷する装置は、該作業ロールチョックの外側の作業ロール軸端部に力を負荷する位置に設けられ、かつ、該作業ロール胴部の中央部には、該作業ロール軸端部に負荷される該水平方向外力と同方向に略水平方向の外力を負荷する装置が設けられていることを特徴とする（１）乃至（３）のいずれか一項に記載の板圧延機。
（９）前記作業ロールチョックと、圧延機ハウジングのプロジェクトブロック、または、補強ロールチョックに繋がる作業ロールチョック支持部材との間に、前記作業ロールに負荷される水平方向荷重を測定する作業ロール水平方向荷重検出装置を設けたことを特徴とする（１）乃至（８）のいずれか一項に記載の板圧延機。
（１０）前記作業ロールに略水平方向の外力を負荷する装置は、該作業ロールと接触する部分がローラ形式であることを特徴とする（１）乃至（９）のいずれか一項に記載の板圧延機。
（１１）前記作業ロールに略水平方向の外力を負荷する装置は、流体圧力を介して該作業ロールに力を伝達することができる静圧軸受形式であることを特徴とする（１）乃至（９）のいずれか一項に記載の板圧延機。
（１２）電動機によって駆動される上下一対の作業ロールと、該作業ロールに接して該作業ロールに負荷される圧延反力を支持する上下一対の補強ロールと、該上下作業ロールのそれぞれに対して圧延機の幅方向の中心を挟んで作業側および駆動側に各１箇所以上、合計２箇所以上の位置の該作業ロール胴部または軸部に略水平方向の外力を負荷する装置を有し、前記作業ロールに負荷された水平方向外力は、作業側および駆動側の該作業ロールチョックおよび水平方向負荷を測定するための作業ロール水平方向荷重検出装置を介して、圧延機ハウジングのプロジェクトブロックまたは補強ロールチョックに繋がる作業ロールチョック支持部材で支持し、かつ、該作業ロール軸心位置と該補強ロール軸心位置の圧延方向オフセット量を該作業ロール半径と該補強ロール半径の和で除した値が０．００２５以下であり、さらに圧延荷重を測定するための荷重検出装置を圧延機の作業側および駆動側それぞれに有する板圧延機による板圧延方法であって、
圧延作業を開始する前の圧下位置零調作業において、ロール回転状態で該板圧延機の圧下装置を操作してキスロール締め込み状態として、該圧延荷重測定用の荷重検出装置による作業側荷重測定値と駆動側荷重測定値の合計値を予め与えられた零調荷重に設定し、前記作業ロール水平方向荷重検出装置の出力が作業側および駆動側それぞれ予め決められた値になるように前記作業側および駆動側の水平方向外力負荷装置から作業ロールに負荷する水平方向外力を調整し、この状態を維持しつつ前記圧延荷重測定用の荷重検出装置による作業側荷重測定値と駆動側荷重測定値とが等しくなるように圧下位置の作業側と駆動側のバランスを調整して圧下位置零点を決定し、この圧下位置零点に基づいて圧延作業を実施することを特徴とする板圧延方法。
（１３）電動機によって駆動される上下一対の作業ロールと、該作業ロールに接して該作業ロールに負荷される圧延反力を支持する上下一対の補強ロールと、該上下作業ロールのそれぞれに対して圧延機の幅方向の中心を挟んで作業側および駆動側に各１箇所以上、合計２箇所以上の位置の該作業ロール胴部または軸部に略水平方向の外力を負荷する装置を有し、前記作業ロールに負荷された水平方向外力は、作業側および駆動側の該作業ロールチョックおよび水平方向負荷を測定するための作業ロール水平方向荷重検出装置を介して、圧延機ハウジングのプロジェクトブロックまたは補強ロールチョックに繋がる作業ロールチョック支持部材で支持し、かつ、該作業ロール軸心位置と該補強ロール軸心位置の圧延方向オフセット量を該作業ロール半径と該補強ロール半径の和で除した値が０．００２５以下である板圧延機による板圧延方法であって、
前記作業ロール水平方向荷重検出装置の出力が作業側および駆動側それぞれ予め決められた値になるように前記作業側および駆動側の水平方向外力負荷装置から作業ロールに負荷する水平方向外力を調整し、この状態を維持しつつ圧延作業を実施することを特徴とする板圧延方法。
＜作用の説明＞
（１）の発明によれば、作業ロールに、略水平方向の外力を片側から負荷する装置を上下作業ロールの両方に設けることにより、作業ロールを剛性の高い支持部材に押付けて軸芯位置を安定化させることができるとともに、作業ロール軸心位置と補強ロール軸心位置の圧延方向オフセット量を該作業ロール半径と該補強ロール半径の和で除した値を上下ロールともに０．００２５以下にすることにより水平方向のオフセット分力を従来の１／２以下に低減できるので、圧延中や圧延前の零点調整作業等のキスロール締め込み状態で発生する圧延機の上下および左右（作業側ＷＳ／駆動側ＤＳ）における作業ロールのオフセット量の偏差を厳密に解消し、板反りや作業ロール〜補強ロール間に生じるスラスト力に起因する蛇行やキャンバー等の問題を解消することができる。
（２）の発明によれば、補強ロールに略水平方向の外力を片側から負荷する装置を、上下補強ロールの両方に設けることにより、補強ロールを剛性の高い支持部材に押付けて軸芯位置を安定化させることができるので、さらに、板反りや作業ロール〜補強ロール間に生じるスラスト力に起因する蛇行やキャンバーをさらに低減することができる。
（３）の発明によれば、作業ロールと補強ロールに同じ方向、例えば，圧延出側方向に水平力を負荷する構成とする場合，作業ロール、補強ロールともに水平方向位置を決める基準面はハウジングウィンドウの出側面となり、作業ロールと補強ロールの水平面内での平行度を高精度に維持することが容易となる。
（４）の発明によれば、作業ロールに略水平方向の外力を負荷する装置を作業ロール胴部の端部近傍に力を負荷する位置に設けることにより、外力を負荷し易いうえ、外力による作業ロールの水平方向撓みが過大になるのを防止することができる。
（５）の発明によれば、作業ロールに略水平方向の外力を負荷する装置を作業ロールチョックの外側の作業ロール軸端部に力を負荷する位置に設けることにより、圧延材のガイドとの干渉を回避できるうえ、ベアリング部の水平方向隙間を低減することができる。
（６）の発明によれば、作業ロールに略水平方向の外力を負荷する装置を作業ロール胴部の端部近傍に力を負荷する位置、および、作業ロールチョックの外側の作業ロール軸端部に力を負荷する位置に設けることにより、外力による作業ロールの水平方向撓みを相殺することができる。
（７）の発明によれば、作業ロールに略水平方向の外力を負荷する装置を作業ロール胴部の端部近傍に力を負荷する位置に設け、かつ、作業ロール胴部の中央部に、該作業ロール胴部の端部近傍に負荷される該水平方向外力の合計値よりも小さくかつ逆方向に略水平方向の外力を負荷する装置を設けることにより、異なる方向の外力による作業ロールの水平方向撓みを相殺することができる。
（８）の発明によれば、作業ロールに略水平方向の外力を負荷する装置を作業ロールチョックの外側の作業ロール軸端部に力を負荷する位置に設け、かつ、作業ロール胴部の中央部に、作業ロール軸端部に負荷される該水平方向外力と同方向に略水平方向の外力を負荷する装置を設けることにより、同じ方向の外力による作業ロールの水平方向撓みを相殺することができる。
（９）の発明によれば、作業ロールチョックと、圧延機ハウジングのプロジェクトブロック、または、補強ロールチョックに繋がる作業ロールチョック支持部材との間に、作業ロールに負荷される水平方向荷重を測定する作業ロール水平方向荷重検出装置を設けることにより、左右の水平方向外力を等しく保持することができるので、常に作業ロールを補強ロールに対して平行に維持することが可能になり、スラスト力の発生による板の蛇行やキャンバーを防止することができる。
（１０）の発明によれば、作業ロールに略水平方向の外力を負荷する装置の作業ロールと接触する部分がローラ形式とすることにより、作業ロールに損傷を与えることなしに外力を負荷することができ、また、圧延時に作業ロールが上下動した場合でも傾斜した状態で略水平方向の外力を負荷することができる。
（１１）の発明によれば、作業ロールに略水平方向の外力を負荷する装置を流体圧力を介して該作業ロールに力を伝達することができる静圧軸受形式とすることにより、作業ロールに非接触の状態で外力を負荷することができるので作業ロールを傷つける心配がない上に、外力負荷装置側もほとんど損傷することがなくなる。
（１２）の発明によれば、作業ロール水平方向荷重検出装置の出力が作業側および駆動側それぞれ予め決められた値になるように前記作業側および駆動側の水平方向外力負荷装置から作業ロールに負荷する水平方向外力を調整し、この状態を維持しつつ前記圧延荷重測定用の荷重検出装置による作業側荷重測定値と駆動側荷重測定値とが等しくなるように圧下位置の作業側と駆動側のバランスを調整して圧下位置零点を決定し、この圧下位置零点に基づいて圧延作業を実施することにより、左右の水平方向外力を等しく保持し、ロール間スラスト力を極小化した状態の正確な圧下位置零点を常に再現することができるので、板の蛇行やキャンバーを防止することができる。
（１３）の発明によれば、作業ロール水平方向荷重検出装置の出力が作業側および駆動側それぞれ予め決められた値になるように前記作業側および駆動側の水平方向外力負荷装置から作業ロールに負荷する水平方向外力を調整し、この状態を維持するよう該水平方向外力を制御しつつ圧延することにより、左右の水平方向外力を等しく保持することができるので、圧延中のスラスト力の発生による板の蛇行やキャンバーの発生を防止することができる。
本発明により得られる効果について説明する。本発明により、圧延前の零点調整作業等のキスロール締め込み状態や圧延中に発生する圧延機の上下および左右（作業側ＷＳ／駆動側ＤＳ）における作業ロールのオフセット量の偏差を厳密に解消し、板反りや作業ロール〜補強ロール間に生じるスラスト力に起因する蛇行やキャンバー等の問題を解消することができる板圧延機および板圧延方法を提供することができるなど、産業上有用な著しい効果を奏する。
【図面の簡単な説明】
【０００４】
図１（ａ）は、本発明の板圧延機における第１の実施形態を例示する平面図である。
図１（ｂ）は、本発明の板圧延機（４Ｈｉミルの場合）における第１の実施形態を例示する側面図である。
図１（ｃ）は、本発明の板圧延機（６Ｈｉミルの場合）における第１の実施形態を例示する側面図である。
図２（ａ）は、本発明の板圧延機（プロジェクトブロック形式）における第１の実施形態を例示する圧延機の側面図である。
図２（ｂ）は、本発明の板圧延機（補強ロールチョック抱え込み方式）における第１の実施形態を例示する圧延機の側面図である。
図３（ａ）は、本発明の板圧延機（４Ｈｉミルの場合）における第２の実施形態を例示する側面図である。
図３（ｂ）は、本発明の板圧延機（６Ｈｉミルの場合）における第２の実施形態を例示する側面図である。
図４は、本発明の板圧延機における第３の実施形態を例示する平面図である。
図５は、本発明の板圧延機における第４の実施形態を例示する平面図である。
図６は、本発明の板圧延機における第５の実施形態を例示する平面図である。
図７は、本発明の板圧延機における第６の実施形態を例示する平面図である。
図８は、本発明の板圧延機における第７の実施形態を例示する平面図である。
図９は、本発明の板圧延機（４Ｈｉミルの場合）における第８の実施形態を例示する側面図である。
図１０は、本発明の板圧延方法における実施形態を例示するフロー図である。
【符号の説明】
【０００５】
１１，１２，１３，１４  作業ロール押さえローラ
２１，２２  作業ロール
３１，３２，３３，３４  作業ロールチョック
４１，４２  プロジェクトブロック（圧延機ハウジング）
５１，５２  補強ロール
６１，６２  中間ロール
７１，７２，７３，７４  中間ロール押さえローラ
８１，８２，８３，８４  補強ロールチョックに繋がる作業ロールチョック支持部材
９１，９２，９３，９４  補強ロール押さえローラ
１０１，１０２  作業ロール水平方向荷重検出装置
１１１，１１２  押さえローラ荷重検出装置
１２１，１２２，１２３，１２４  作業ロール押さえ用静圧軸受
１３１，１３２  圧延荷重測定用荷重検出装置
【発明を実施するための形態】
【０００６】
本発明を実施するための最良の形態について図１乃至図１０に基づいて詳細に説明する。
図１乃至図１０において、１１，１２，１３，１４は作業ロール押さえローラ（１１、１２は上作業ロール押さえローラ、１３、１４は下作業ロール押さえローラ。以下同様に、被圧延材のパスラインより上側を「上」、下側を「下」と呼ぶ。）、２１，２２は作業ロール、３１，３２，３３，３４は作業ロールチョック、４１，４２はプロジェクトブロック（圧延機ハウジング）、５１，５２は補強ロール、６１，６２は中間ロール、７１，７２，７３，７４は中間ロール押さえローラ、８１，８２，８３，８４は補強ロールチョックに繋がる作業ロール支持部材、９１，９２，９３，９４は補強ロール押さえローラ、１０１，１０２は作業ロール水平方向荷重検出装置、１１１，１１２は押さえローラ荷重検出装置、１２１，１２２，１２３，１２４は作業ロール押さえ用静圧軸受、１３１，１３２は圧延荷重測定用荷重検出装置を示し、同じ要素については同じ番号を付すことにより重複した説明を省略する。
図１は、本発明の板圧延機における第１の実施形態を例示する図である。
本発明の板圧延機は、電動機（図示せず）によって駆動される作業ロール２１，２２と、該作業ロール２１，２２に接して該作業ロール２１，２２に負荷される圧延反力を支持する補強ロール５１，５２と、該作業ロール２１，２２に対して圧延機の幅方向の中心を挟んで作業側および駆動側に各１箇所以上、合計２箇所以上の位置に略水平方向の外力を負荷する装置（作業ロール押さえローラ１１，１２，１３，１４）とを有する。
また、前述したように、水平方向のオフセット分力を従来の１／２以下に低減するために、作業ロール軸心位置と補強ロール軸心位置の圧延方向オフセット量を該作業ロール半径と該補強ロール半径の和で除した値を上下ロールともに０．００２５以下にすることが重要である。
板圧延機には、図２（ａ）に示すプロジェクトブロック形式の圧延機と、図２（ｂ）に示す補強ロールチョック抱え込み形式の圧延機があり、プロジェクトブロック形式の圧延機の場合は、作業ロール２１，２２に負荷された水平方向外力は、作業ロールチョック３１，３２，３３，３４を介して圧延機ハウジングのプロジェクトブロック４１，４２で支持され、補強ロールチョック抱え込み形式の圧延機の場合は、補強ロールチョックに繋がる作業ロールチョック支持部材８１，８２，８３，８４により支持される。
作業ロール２１，２２に略水平方向の外力を負荷する装置として、例えば、図１（ａ）に示すような作業ロール押さえローラ１１，１２，１３，１４を設ける。この作業ロール押さえローラ１１，１２，１３，１４で、作業ロール２１，２２を押し付ける。作業ロールを押し付けることにより、圧延機がプロジェクトブロック形式の場合（図２（ａ））は、作業ロールの軸と軸受け間のガタ、軸受け自体のガタ、軸受けと軸受けハウジング（ロールチョック）間のガタ，およびロールチョックとプロジェクトブロック間のガタが吸収され、剛性の高い圧延機ハウジングのプロジェクトブロック面を基準面とすることができる。圧延機が補強ロールチョック抱え込み方式の場合（図２（ｂ））は同様に、作業ロールの軸と軸受け間のガタ、軸受け自体のガタ、軸受けと軸受けのハウジング（ロールチョック）間のガタ，ロールチョックと作業ロールチョック支持部材間のガタ，および作業ロールチョック支持部材と圧延機ハウジングウィンドウ面間のガタが吸収され、剛性の高い圧延機ハウジングのウィンドウ面を基準面とすることができる。
このように、剛性の高い支持部材に押付けて軸芯位置を安定化させることができるので，圧延中や圧延前の零点調整作業等のキスロール締め込み状態で発生する圧延機の上下および左右（作業側ＷＳ／駆動側ＤＳ）における作業ロールのオフセット量の偏差を圧延材の咬み込み時を含めて厳密に解消し、さらに作業ロール軸心位置と補強ロール軸心位置の圧延方向オフセット量を該作業ロール半径と該補強ロール半径の和で除した値を０．００２５以下にすることにより水平方向のオフセット分力を従来の１／２以下に低減できるので、圧延材咬み込みの瞬間も含めて作業ロールの軸芯位置を安定化させることができ，板反りや作業ロール〜補強ロール間に生じるスラスト力に起因する蛇行やキャンバー等の問題を解消することができる。
前記作業ロール２１，２２に略水平方向の外力を負荷する装置は、図１（ａ）に示すように、該作業ロール胴部の端部近傍に力を負荷する位置に設けることが好ましい。例えば、図１（ａ）に示すような作業ロール押さえローラ１１，１２，１３，１４を作業ロール胴部の端部近傍に力を負荷する位置に設けることにより、外力を負荷し易いうえ、外力による作業ロールの撓みを防止することができる。
また、作業ロール２１，２２と接触する部分がローラ形式にすることにより、作業ロールに損傷を与えることなしに外力を負荷することができ、また、圧延時に作業ロールが上下動した場合でも傾斜した状態で略水平方向の外力を負荷することができる。
本発明において、水平方向の外力を負荷する装置（水平力負荷装置）は、作業ロールの片側であれば、圧延機入側でも出側でもかまわない。本発明では、作業ロールオフセット量は極めて小さく（好ましくは零）、水平方向のオフセット分力は極めて小さくなる。また、押さえローラによって負荷する水平方向外力は、該オフセット分力よりも必ず大きくするので、その設置位置は圧延機入側でも出側でも良い。ただし、有意なオフセット量を取っている場合はオフセット分力の方向と水平方向外力の方向は一致する方が好ましい。
また、作業ロールの両側に対向するように水平力負荷装置を設置してもよいが、その場合は，一方の水平力を他方より大きくして，その合力が作業ロールチョックを介して圧延機ハウジングに伝わる構成にしなければならない．以上の説明は，作業ロールの水平外力負荷装置と同様に、以下に説明する中間ロールや補助ロールにも適用できる。
なお、本発明は、図１（ｂ）に示すような、作業ロール２１，２２と補強ロール５１，５２を有する４段圧延機（４Ｈｉミル）の他、図１（ｃ）に示すような、作業ロール２１，２２、中間ロール６１，６２、補強ロール５１，５２を有する５段圧延機や６段圧延機（６Ｈｉミル）にも適用できる。中間ロール６１，６２を有する５段圧延機や６段圧延機の場合、本発明における「補強ロール」は、作業ロール２１，２２を直接サポートする中間ロール６１，６２をも意味する。
また、本発明における作業ロールに負荷する「外力」という表現は、１）圧延荷重とは独立に作用し、２）力を負荷する装置はハウジング等の作業ロールの外側の構造物に取り付けられている、という意味で用いている。
図３は、本発明の板圧延機における第２の実施形態を例示する図である。
本発明の板圧延機における第２の実施形態は、前述の作業ロールに略水平方向の外力を負荷する装置に加えて、前記補強ロール５１，５２に対して圧延機の幅方向の中心を挟んで作業側および駆動側に各１箇所以上、合計２箇所以上の位置に略水平方向の外力を負荷する装置（補強ロール押さえローラ９１，９２，９３，９４）を有することを特徴とする。
図３（ａ）４Ｈｉミル、（ｂ）６Ｈｉミルの場合に示すように、例えば、図３（ａ），（ｂ）に示すような補強ロール押さえローラ９１，９２，９３，９４を設ける。この補強ロール押さえローラで、補強ロールに略水平方向の外力を負荷することにより、補強ロール５１，５２を、結果的に、剛性の高い圧延機のハウジング部材に押付けて軸芯位置を安定化させることができるので、さらに、板反りや作業ロール〜補強ロール間に生じるスラスト力に起因する蛇行やキャンバーをさらに低減することができる。
作業ロールに圧延出側方向のオフセットを与える従来技術の場合、作業ロールには圧延方向、補強ロールには圧延逆方向のオフセット力が作用し、この結果，作業ロールの水平方向位置を決める基準面はハウジングウィンドウの出側面，補強ロールの水平方向位置を決める基準面はハウジングウィンドウの入側面となる。この場合、作業ロールと補強ロールの水平面内での平行度を維持するにはハウジングウィンドウの入側面と出側面の平行度を高精度に管理する必要があり、平行度の計測方法にも困難性を生じ誤差を生じやすくなる。
これに対して図３に示すように、作業ロール２１，２２と補強ロール５１，５２に同じ方向、例えば，圧延出側方向の水平力を負荷する構成とする場合，作業ロール２１，２２、補強ロール５１，５２ともに水平方向位置を決める基準面はハウジングウィンドウの出側面となり、作業ロール２１，２２と補強ロール５１，５２の水平面内での平行度を高精度に維持することが容易となる。
図４は、本発明の板圧延機における第３の実施形態を例示する図である。
本発明の板圧延機における第３の実施形態は、前記作業ロール２１，２２に略水平方向の外力を負荷する装置（作業ロール押さえローラ１１，１２）が、該作業ロールチョック３１，３２の外側の作業ロール軸端部に力を負荷する位置に設けられていることを特徴とする。
作業ロール２１，２２に、図４に示すような、作業ロール押さえローラ１１，１２を作業ロールチョック３１，３２の外側の作業ロール軸端部に力を負荷する位置に設けることにより、圧延材のガイドとの干渉を回避できるうえ、ベアリング部の水平方向隙間を低減することができる。
なお、作業ロール２１，２２に略水平方向の外力を負荷する装置（作業ロール押さえローラ１１，１２）を作業ロールチョック３１，３２に取り付けてもよく、この場合は、チョックを含めた作業ロール２１，２２の内力となるので作業ロールチョック３１，３２の位置を安定化させるため、例えば特許第２７９６４６５号公報に記載されているような作業ロールチョック３１，３２を水平方向に押し付ける装置が必須となる。
図５は、本発明の板圧延機における第４の実施形態を例示する図である。
本発明の板圧延機における第４の実施形態は、前記作業ロール２１，２２に略水平方向の外力を負荷する装置（作業ロール押さえローラ１１，１２，１３，１４）が、該作業ロール２１，２２胴部の端部近傍に力を負荷する位置、および、該作業ロールチョック３１，３２の外側の作業ロール軸端部に力を負荷する位置に設けられていることを特徴とする。
作業ロール２１，２２に、図５に示すような、作業ロール押さえローラ１１，１２，１３，１４を作業ロール２１，２２胴部の端部近傍に力を負荷する位置、および、作業ロールチョック３１，３２の外側の作業ロール軸端部に力を負荷する位置に設けることにより、外力による作業ロールの水平方向撓みを相殺することができる。
図６は、本発明の板圧延機における第５の実施形態を例示する図である。
本発明の板圧延機における第５の実施形態は、前記作業ロール２１，２２に略水平方向の外力を負荷する装置（作業ロール押さえローラ１１，１２）が、該作業ロール２１，２２胴部の端部近傍に力を負荷する位置に設けられ、かつ、該作業ロール２１，２２胴部の中央部には、該作業ロール胴部の端部近傍に負荷される該水平方向外力の合計値よりも小さくかつ逆方向に略水平方向の外力を負荷する装置（作業ロール押さえローラ１３）が設けられていることを特徴とする。
作業ロール２１，２２に、図６に示すような、作業ロール押さえローラ１１，１２を作業ロール２１，２２胴部の端部近傍に力を負荷する位置に設け、かつ、作業ロール２１，２２胴部の中央部に、該作業ロール胴部の端部近傍に負荷される該水平方向外力の合計値よりも小さくかつ逆方向に作業ロール押さえローラ１３を設けることにより、異なる方向の外力による作業ロールの水平方向撓みを相殺することができる。
図７は、本発明の板圧延機における第６の実施形態を例示する図である。
本発明の板圧延機における第６の実施形態は、前記作業ロール２１，２２に略水平方向の外力を負荷する装置（作業ロール押さえローラ１１，１２）が、該作業ロールチョック３１，３２の外側の作業ロール軸端部に力を負荷する位置に設けられ、かつ、該作業ロール胴部の中央部には、該作業ロール軸端部に負荷される該水平方向外力と同方向に略水平方向の外力を負荷する装置（作業ロール押さえローラ１３）が設けられていることを特徴とする。
作業ロール２１，２２に、図７に示すような、作業ロール押さえローラ１１，１２を作業ロールチョック３１，３２の外側の作業ロール軸端部に力を負荷する位置に設け、かつ、作業ロール胴部の中央部に、作業ロール押さえローラ１３を設けることにより、同じ方向の外力による作業ロールの水平方向撓みを相殺することができる。
図８は、本発明の板圧延機における第７の実施形態を例示する図である。
本発明の板圧延機における第７の実施形態は、前記作業ロールチョック３１，３２と、圧延機ハウジングのプロジェクトブロック４１，４２との間に、前記作業ロール２１，２２に負荷される水平方向荷重を測定する作業ロール水平方向荷重検出装置１０１，１０２を設けたことを特徴とする。圧延機ハウジングのプロジェクトブロック４１，４２は、補強ロールチョックに繋がる作業ロールチョック支持部材８１，８２，８３，８４であってもよい。
作業ロールチョック３１，３２と、圧延機ハウジングのプロジェクトブロック４１，４２との間に、作業ロール２１，２２に負荷される水平方向荷重を測定する作業ロール水平方向荷重検出装置１０１，１０２を設けることにより、左右の作業ロールネック部および作業ロールベアリングに作用する水平方向力を検知して、必要に応じて押えローラ１１，１２で与える水平方向外力を調整して、これらを等しく保持することができるので、スラスト力の発生による板の蛇行やキャンバーを防止することができる。このとき、圧延機ハウジングのプロジェクトブロック４１，４２は、補強ロールチョックに繋がる作業ロールチョック支持部材８１，８２，８３，８４であっても同様な効果が得られる。
また、押さえローラの荷重検出装置１１１，１１２の配備は，好ましい実施態様であって押し力を与える油圧シリンダーの圧力で代替することもできる。なお作業ロール水平方向荷重検出装置１０１，１０２で測定される水平方向力は，押さえローラから作用し押さえローラ荷重検出装置１１１，１１２で測定される水平方向力と，オフセット力を含む補強ロールから作業ロールに作用する力との合力であるので，作業ロール水平方向荷重検出装置１０１，１０２の機能を押さえローラ荷重検出装置１１１，１１２で代替することはできない。
言うまでもないが、作業ロール水平方向荷重検出装置及び押さえローラの荷重検出装置は、上下作業ロールに対して設置することが望ましい。
図９は、本発明の板圧延機における第８の実施形態を例示する図である。
本発明の板圧延機における第８の実施形態は、前記作業ロール２１，２２に略水平方向の外力を負荷する装置（作業ロール押さえ用静圧軸受１２１，１２２，１２３，１２４）が、流体圧力を介して該作業ロールに力を伝達することができる静圧軸受形式であることを特徴とする。
作業ロール２１，２２に略水平方向の外力を負荷する装置を油や水などの流体圧力を介して該作業ロールに力を伝達することができる静圧軸受形式とすることにより、作業ロールに非接触の状態で外力を負荷することができるので作業ロールを傷つける心配がない上に、外力負荷装置側もほとんど損耗することがなくなる。
図１０は、本発明の板圧延方法における実施形態を例示するフロー図である。
本発明の板圧延方法に用いる板圧延機の実施形態は前述の通りであるので省略する。
まず、圧延作業を開始する前の圧下位置零点調整作業において、ロール回転状態で該板圧延機の圧下装置を操作してキスロール締め込み状態として、該圧延荷重測定用の荷重検出装置１３１，１３２による作業側荷重測定値と駆動側荷重測定値の合計値を予め与えられた零点調整荷重に設定する（図１０  Ｓ−１）。
次に、作業ロール水平方向荷重検出装置１０１，１０２の出力が作業側および駆動側それぞれ予め決められた値になるように前記作業側および駆動側の水平方向外力負荷装置から作業ロールに負荷する水平方向外力を調整する（図１０  Ｓ−２）。
次に、作業ロール水平方向荷重検出装置１０１，１０２の作業側ＷＳ／駆動側ＤＳ負荷バランスを維持しつつ、前記圧延荷重測定用の荷重検出装置１３１，１３２による作業側荷重測定値と駆動側荷重測定値とが等しくなるように圧下位置の作業側と駆動側のバランスを調整して圧下位置零点を決定する（図１０  Ｓ−３）。
そして、この圧下位置零点に基づいて圧延作業を実施する（図１０  Ｓ−４）。
作業ロール水平方向荷重検出装置１０１，１０２の出力が作業側および駆動側それぞれ予め決められた値になるように前記作業側および駆動側の水平方向外力負荷装置から作業ロールに負荷する水平方向外力を調整することで、作業ロールネック部および作業ロールベアリングに作用する水平方向力を左右均等にでき、その結果、作業ロールを補強ロールに対して厳密に平行に保持することができる。また、この状態を維持しつつ前記圧延荷重測定用の荷重検出装置１３１，１３２による作業側荷重測定値と駆動側荷重測定値とが等しくなるように圧下位置の作業側と駆動側のバランスを調整して圧下位置零点を決定することで、スラスト力等の外乱のない正確な圧下位置零点が得られ、この圧下位置零点に基づいて圧延作業を実施することにより、板の蛇行やキャンバーを防止することができる。
なお、本発明においては、圧下位置零点調整時のキスロール締め込み状態もロールは回転状態であることを前提としている。
また通常、圧下零点調整は作業ロール組替時に行われるので、作業ロールは研削直後の左右対称のプロフィールになっていると考えることができるが、補強ロールについては必ずしも組替直後ではないため、使用中の偏摩耗等によって一般に左右非対称になっていると考える必要がある。
この状態で、キスロール締め込みを実施した場合、補強ロール直径の左右アンバランスによって補強ロールから作業ロールに作用するオフセット分力は左右非対称になり、これが作業ロールネックおよびベアリング隙の変化を介して作業ロール軸を水平面内で僅かに傾けることになり、その結果、作業ロール〜補強ロール間にスラスト力が発生し、圧延荷重検出用荷重検出装置１３１，１３２の左右バランスの外乱となり、この状態で圧下位置の零点調整を実施すると、正確な調整ができなくなり、蛇行およびキャンバーの発生原因となる。
これに対して（１２）に記載したように、作業ロールの水平方向負荷測定用荷重検出装置１０１，１０２の出力が作業側ＷＳと駆動側ＤＳで同じになるように作業ロールに負荷する水平方向外力を調整すると、作業ロールネックおよび作業ロールベアリングに作用する水平力は駆動側と作業側で等しくなるため、作業ロール軸を補強ロールに偏摩耗がない場合の状態と同じ姿勢に維持できるのでロール間スラスト力が発生せず、正確な圧下位置零点調整が可能となる。
また、（１３）に記載したように、作業ロール水平方向荷重検出装置１０１，１０２の出力が作業側ＷＳおよび駆動側ＤＳそれぞれ予め決められた値になるように前記作業側および駆動側の水平方向外力負荷装置から作業ロールに負荷する水平方向外力を調整し、この状態を維持するよう該水平方向外力を制御しつつ圧延することにより、左右の水平方向外力を等しく保持することができるので、常に作業ロールを補強ロールに対して平行に維持することが可能になり、圧延中のスラスト力の発生による板の蛇行やキャンバーを防止することができる。
以上、図８に示した構成を参考に説明したが、前述したように、作業ロール水平方向荷重検出装置は、上下の作業ロールに対応するように設置することが好ましく、従って上記説明も、上下に設置した作業ロール水平方向荷重検出装置の出力値を基に、零点調整作業や圧延制御を行うことは、言うまでもない。
また、作業ロールと同様に、補助ロールや中間ロールにも水平方向力付与装置を設置する場合は、補助ロールや中間ロールに水平方向荷重検出装置を設定してもよく、これらの検出装置により検出される出力をも合わせて、圧延位置の零点調整を行い、これら水平方向荷重検出装置の出力が作業側ＷＳおよび駆動側ＤＳそれぞれ予め決められた値になるように前記作業側および駆動側の水平方向外力負荷装置から作業ロール、中間ロール、補助ロールに負荷する水平方向外力を調整し、この状態を維持するよう該水平方向外力を制御しつつ圧延することにより、左右の水平方向外力を等しく保持することができるので、さらに精度よく圧延中のスラスト力の発生による板の蛇行やキャンバーを防止することができる。
本発明により、圧延中や圧延前の零点調整作業等のキスロール締め込み状態で発生する圧延機の上下および左右（作業側ＷＳ／駆動側ＤＳ）における作業ロールのオフセット量の偏差を厳密に解消し、板反りや作業ロール〜補強ロール間に生じるスラスト力に起因する蛇行やキャンバー等の問題を解消することができる板圧延機および板圧延方法を提供することができるなど、産業上有用な著しい効果を奏する。
【図１】
2009113413.tif 000003
【図２】
2009113413.tif 000004
【図３】
2009113413.tif 000005
【図４】
2009113413.tif 000006
【図５】
2009113413.tif 000007
【図６】
2009113413.tif 000008
【図７】
2009113413.tif 000009
【図８】
2009113413.tif 000010
【図９】
2009113413.tif 000011
【図１０】
2009113413.tif 000012
【手続補正書】
【提出日】平成22年11月2日(2010.11.2)
【手続補正１】
【補正対象書類名】特許請求の範囲
【補正対象項目名】全文
【補正方法】変更
【補正の内容】
【特許請求の範囲】
【請求項１】
電動機によって駆動される上下一対の作業ロールと、該作業ロールに接して該作業ロールに負荷される圧延反力を支持する上下一対の補強ロールとを有する板圧延機であって、
該上下作業ロールのそれぞれに対して圧延機の幅方向の中心を挟んで作業側および駆動側に各１箇所以上、合計２箇所以上の位置の該作業ロール胴部または軸部に、圧延機の入側または出側のどちらか片方から略水平方向の外力を負荷する装置を有し、
前記作業ロールに負荷された水平方向外力は、作業ロールチョックを介して圧延機ハウジングのプロジェクトブロック、または、補強ロールチョックに繋がる作業ロールチョック支持部材により支持されており、
かつ、前記作業ロール軸心位置と補強ロール軸心位置の圧延方向オフセット量を該作業ロール半径と該補強ロール半径の和で除した値が上下ロールともに0.0025以下であることを特徴とする板圧延機。
【請求項２】
さらに、前記上下一対の補強ロールのそれぞれに対して圧延機の幅方向の中心を挟んで作業側および駆動側に各１箇所以上、合計２箇所以上の位置の該補強ロール胴部または軸部に、圧延機の入側または出側のどちらか片方から略水平方向の外力を負荷する装置を有することを特徴とする請求項１に記載の板圧延機。
【請求項３】
前記補強ロールに負荷する水平方向外力の方向は、前記作業ロールに負荷される略水平方向外力と同じ方向であることを特徴とする請求項２に記載の板圧延機。
【請求項４】
前記作業ロールに略水平方向の外力を負荷する装置は、該作業ロール胴部の端部近傍に力を負荷する位置に設けられていることを特徴とする請求項１〜３のいずれか一項に記載の板圧延機。
【請求項５】
前記作業ロールに略水平方向の外力を負荷する装置は、該作業ロールチョックの外側の作業ロール軸端部に力を負荷する位置に設けられていることを特徴とする請求項１〜３のいずれか一項に記載の板圧延機。
【請求項６】
前記作業ロールに略水平方向の外力を負荷する装置は、該作業ロール胴部の端部近傍に力を負荷する位置、および、該作業ロールチョックの外側の作業ロール軸端部に力を負荷する位置に設けられていることを特徴とする請求項１〜３のいずれか一項に記載の板圧延機。
【請求項７】
前記作業ロールに略水平方向の外力を負荷する装置は、該作業ロール胴部の端部近傍に力を負荷する位置に設けられ、かつ、該作業ロール胴部の中央部には、該作業ロール胴部の端部近傍に負荷される該水平方向外力の合計値よりも小さくかつ逆方向に略水平方向の外力を負荷する装置が設けられていることを特徴とする請求項１〜３のいずれか一項に記載の板圧延機。
【請求項８】
前記作業ロールに略水平方向の外力を負荷する装置は、該作業ロールチョックの外側の作業ロール軸端部に力を負荷する位置に設けられ、かつ、該作業ロール胴部の中央部には、該作業ロール軸端部に負荷される該水平方向外力と同方向に略水平方向の外力を負荷する装置が設けられていることを特徴とする請求項１〜３のいずれか一項に記載の板圧延機。
【請求項９】
前記作業ロールチョックと、圧延機ハウジングのプロジェクトブロック、または、補強ロールチョックに繋がる作業ロールチョック支持部材との間に、前記作業ロールに負荷される水平方向荷重を測定する作業ロール水平方向荷重検出装置を設けたことを特徴とする請求項１〜８のいずれか一項に記載の板圧延機。
【請求項１０】
前記作業ロールに略水平方向の外力を負荷する装置は、該作業ロールと接触する部分がローラ形式であることを特徴とする請求項１〜９のいずれか一項に記載の板圧延機。
【請求項１１】
前記作業ロールに略水平方向の外力を負荷する装置は、流体圧力を介して該作業ロールに力を伝達することができる静圧軸受形式であることを特徴とする請求項１〜９のいずれか一項に記載の板圧延機。
【請求項１２】
電動機によって駆動される上下一対の作業ロールと、該作業ロールに接して該作業ロールに負荷される圧延反力を支持する上下一対の補強ロールと、該上下作業ロールのそれぞれに対して圧延機の幅方向の中心を挟んで作業側および駆動側に各１箇所以上、合計２箇所以上の位置の該作業ロール胴部または軸部に、圧延機の入側または出側のどちらか片方から略水平方向の外力を負荷する装置を有し、前記作業ロールに負荷された水平方向外力は、作業側および駆動側の該作業ロールチョックおよび水平方向負荷を測定するための作業ロール水平方向荷重検出装置を介して、圧延機ハウジングのプロジェクトブロックまたは補強ロールチョックに繋がる作業ロールチョック支持部材で支持し、かつ、該作業ロール軸心位置と該補強ロール軸心位置の圧延方向オフセット量を該作業ロール半径と該補強ロール半径の和で除した値が0.0025以下であり、さらに圧延荷重を測定するための荷重検出装置を圧延機の作業側および駆動側それぞれに有する板圧延機による板圧延方法であって、
圧延作業を開始する前の圧下位置零調作業において、ロール回転状態で該板圧延機の圧下装置を操作してキスロール締め込み状態として、該圧延荷重測定用の荷重検出装置による作業側荷重測定値と駆動側荷重測定値の合計値を予め与えられた零調荷重に設定し、前記作業ロール水平方向荷重検出装置の出力が作業側および駆動側それぞれ予め決められた値になるように前記作業側および駆動側の水平方向外力負荷装置から作業ロールに負荷する水平方向外力を調整し、この状態を維持しつつ前記圧延荷重測定用の荷重検出装置による作業側荷重測定値と駆動側荷重測定値とが等しくなるように圧下位置の作業側と駆動側のバランスを調整して圧下位置零点を決定し、この圧下位置零点に基づいて圧延作業を実施することを特徴とする板圧延方法。
【請求項１３】
電動機によって駆動される上下一対の作業ロールと、該作業ロールに接して該作業ロールに負荷される圧延反力を支持する上下一対の補強ロールと、該上下作業ロールのそれぞれに対して圧延機の幅方向の中心を挟んで作業側および駆動側に各１箇所以上、合計２箇所以上の位置の該作業ロール胴部または軸部に、圧延機の入側または出側のどちらか片方から略水平方向の外力を負荷する装置を有し、前記作業ロールに負荷された水平方向外力は、作業側および駆動側の該作業ロールチョックおよび水平方向負荷を測定するための作業ロール水平方向荷重検出装置を介して、圧延機ハウジングのプロジェクトブロックまたは補強ロールチョックに繋がる作業ロールチョック支持部材で支持し、かつ、該作業ロール軸心位置と該補強ロール軸心位置の圧延方向オフセット量を該作業ロール半径と該補強ロール  半径の和で除した値が0.0025以下である板圧延機による板圧延方法であって、
前記作業ロール水平方向荷重検出装置の出力が作業側および駆動側それぞれ予め決められた値になるように前記作業側および駆動側の水平方向外力負荷装置から作業ロールに負荷する水平方向外力を調整し、この状態を維持しつつ圧延作業を実施することを特徴とする板圧延方法。
【手続補正２】
【補正対象書類名】明細書
【補正対象項目名】全文
【補正方法】変更
【補正の内容】
【発明の詳細な説明】
【技術分野】
【０００１】
本発明は、電動機によって駆動される作業ロールと、該作業ロールに負荷される圧延反力を支持する補強ロールとを有する板圧延機およびそれを用いた板圧延方法に関する。
【背景技術】
【０００２】
電動機によって駆動される作業ロールと、該作業ロールに負荷される圧延反力を支持する補強ロールとを有する板圧延機においては、作業ロール軸心位置と補強ロール軸心位置とをずらして一定間隔の圧延方向オフセットを設け、圧延反力の水平方向（特に断りがない限り、水平方向とは圧延方向をさす）分力を生じさせて作業ロールを押付けることにより、安定した形状の板を圧延する方法が採用されており、従来から種々の提案がなされている。
例えば、下記特許文献１には、作業ロールチョックを水平方向に押圧する構造のクロスロール圧延機が開示されている。
しかし、この特許文献１の圧延機は、作業ロールチョックのみを押圧する構造であるため、作業ロールチョックと作業ロールとの間に存在する作業ロールベアリングのガタに起因する作業ロールオフセット量の変動を抑制することはできないという問題点があった。
【０００３】
また、下記特許文献２には、圧延機の入出側に作業ロールを水平方向に支持するサポートローラを配備した板圧延機が開示されている。
この特許文献２の圧延機の作業ロールは、硬質材、極薄材の圧延用の小径作業ロールを前提としており、直接電動機で駆動されているものではなく、補強ロールを通じて間接的に駆動されている。間接駆動の場合、駆動力伝達のため補強ロールから作業ロールに大きな水平力が作用し、圧延荷重の水平方向力との相互作用により、不安定現象の原因となっていた。特に小径作業ロールの場合は、水平方向作業ロールたわみが大きくなり不安定現象が助長されるため、このような水平方向サポートローラにより、作業ロールの小径化と剛性アップの両立が必要だった。
【０００４】
しかし、本圧延機は、小径作業ロールの剛性を著しく大きくすることによる、たわみ解消と作業ロール径の最小化を目的としているため、圧延制御する上での基準となるゼロ点調整や、該ゼロ点調整状態の維持という課題は解決されていない。
特許第2885102号公報には、作業ロールの片側に水平方向支持のためのサポートローラを配備した板圧延機が開示されている。
【０００５】
しかし、この特許第2885102号公報の圧延機も特許文献２の圧延機と同様、小径作業ロールであって、間接駆動型の圧延機である。特許文献２と同様に、小径ロールのために、ロールの剛性が小さく、水平方向のたわみが生じ易い。上下の作業ロールでたわみ差が生じると、圧延が不安定となるため、水平方向の作業ロール剛性を高め、上下の作業ロールのたわみ差が生じないようコントロールするため、上下の作業ロールに水平方向のサポートローラを設置したものである。
この圧延機に用いる当該サポートローラは、作業ロールのオフセットによって生じる圧延反力の水平方向分力と逆方向の力を加えて作業ロールを支持する構造となっているため、作業ロールの軸心位置を安定化させることができなかった。そして、特許文献２の作業ロールと同様に、圧延制御する上での基準となるゼロ点調整や、該ゼロ点調整状態の維持という課題は解決されていない。
【０００６】
特許文献３には、作業ロールの片側又は両側に作業ロールに水平方向たわみを与えるための中間ロールを配備した板圧延機が開示されている。これは、作業ロールのプロフィール（特に被圧延材のパスライン方向の凹凸）により、圧延材の形状をコントロールするため、積極的に作業ロールにたわみを付加するものである。そのため、中間ロールは先細り構造となっており、それに沿うように作業ロールをたわませるため、軸受け部にベンディング力を付与する構造となっている。
しかし、この特許文献３の圧延機に用いられている作業ロール軸端部は水平方向ベンディング力を付与して荷重制御で支持する構造となっており、作業ロールオフセット位置を厳密に制御する構造とはなっていないという問題点があった。そして、ゼロ点調整や、該ゼロ点調整状態の維持という、圧延制御をする上での基準点が定まらないという問題点は残ったままである。
【０００７】
特許文献４には、上下作業ロールのどちらか一方に水平力を付与する板圧延機が開示されている。
この特許文献４の圧延機は、作業ロールの軸心を補強ロールの軸心から、圧延出側方向へオフセットされた圧延機であって、圧延材が圧延機を抜けたとき、ロールギャップが小さいと上下作業ロールが接触し、上下作業ロールの径差により、大径ロールが圧延入側方向に移動することを防止するため大径側のロールに水平力付与装置を設置し、大径作業ロールを圧延出側方向に押し付ける構造となっている。
しかし、特許文献４の発明による水平力付与は、圧延材が圧延機を抜け、上下作業ロールが接触したときに、大径作業ロールのみに適用することを前提としているため、例えば、上作業ロールが大径で下作業ロールに水平力付与装置がない場合、上下作業ロール間にオフセット量の偏差を生じ、圧延材の反りの発生原因となることに加え、下作業ロールと下補強ロール間に微小クロス角、そしてスラスト力が発生して、蛇行やキャンバーが生ずるという問題点があった。
【０００８】
特許文献５には、圧延機の作業ロールのロール軸受箱を介して、ロールに上下方向のバランス力又はベンダー力を与える第一の押圧装置と、水平面内で圧延ロール軸と直交する方向の押圧力を与える第二の押圧装置を備える圧延機が開示されている。
【０００９】
しかし、これら押圧装置による外力は、軸受箱を介して付与されるため、特許文献１と同様に、作業ロール軸受箱と作業ロールとの間に存在する作業ロールベアリングのガタに起因する作業ロールオフセット量の変動を抑制することはできないという問題点があった。
【００１０】
また、作業ロール駆動の４段圧延機や６段圧延機においては、作業ロールの水平面内での位置を安定化するため、例えば作業ロール直径800mm、補強ロール直径1600mm程度の熱延仕上圧延機では、作業ロール軸心位置と該補強ロール軸心位置の圧延方向オフセット量を6〜13mm程度に設定し、圧延荷重の水平方向分力すなわちオフセット分力を作業ロールに与えて、作業ロールチョックを圧延機ハウジングのプロジェクトブロック部または補強ロールチョックに繋がる作業ロールチョック支持部材に押し付けて作業ロール位置を安定化させていた。
しかし、オフセット分力は圧延荷重の分力であるため，圧延材の咬み込み時に瞬間的に負荷されるため、作業ロールオフセット量に上下・左右偏差を生じ、圧延材の反りや作業ロール〜補強ロール間スラスト力の発生に繋がるという問題点があった。
【００１１】
【特許文献１】特許第２７９６４６５号公報
【特許文献２】特許第２９７２４０１号公報
【特許文献３】特許第２９６６１７２号公報
【特許文献４】特開平１０−２７７６１９号公報
【特許文献５】特表ＷＯ０１／０６４３６０号公報
【発明の開示】
【発明が解決しようとする課題】
【００１２】
本発明は、前述のような従来技術の問題点を解決し、圧延中や圧延前の零点調整作業等のキスロール締め込み状態で発生する圧延機の上下および左右（作業側WS（Work-side）／駆動側DS（Drive-side））における作業ロールのオフセット量の偏差を厳密に解消し、板反りや作業ロール〜補強ロール間に生じるスラスト力に起因する蛇行やキャンバー等の問題を解消することができる板圧延機および板圧延方法を提供することを課題とする。
【課題を解決するための手段】
【００１３】
本発明者は、前述の課題について鋭意検討した結果、板圧延操業において重大なトラブルに繋がる問題である圧延材の反りや蛇行およびキャンバーの問題に関して、圧延中の作業ロールオフセット量の変動が重大な関与をしていることを見出した。
例えば、作業ロールオフセット量の圧延機の上下偏差が0.2mm程度変動することで、圧延材の反りやうねりが大きく変化すること、また作業ロールオフセット量の左右差（作業側WSと駆動側DSの差）が0.2mm程度変動することで、作業ロール〜補強ロール間のスラスト係数が約0.004程度、すなわち1000tfの圧延荷重に対して4tfの有意なスラスト力が発生することを知見した。
【００１４】
作業ロール〜補強ロール間に作用するスラスト力は圧延機の構造や寸法にも左右されるが、ほぼ同程度の圧延荷重の左右差として顕在化するため、例えば、駆動側および作業側の圧下装置の圧下位置零点調整を圧延荷重測定用荷重検出装置の出力によって行う場合、作業ロール〜補強ロール間のスラスト力が外乱となり、正確な圧下位置零点調整が実施できず蛇行やキャンバー等の問題の発生原因にもなる。また，圧延中においても，スラスト力起因の圧延荷重左右差は，ミル変形の左右差を通じて圧下率の左右差そして圧延材の蛇行を誘発することになる。さらに作業ロールオフセット量の左右差はそれ自身で圧延材の水平面内での進入角度の微小な誤差になるので，この状態で圧延を続けることで圧延材の蛇行に直接的に繋がる．そこで本発明では、作業ロールベアリングのガタや作業ロールネック部の変形も考慮した上で、作業ロールオフセット量の上下および左右偏差を厳密に解消して安定圧延を実現する技術を提供する。
【００１５】
また、オフセット分力は圧延荷重の分力であるため、圧延材の咬み込み時に瞬間的に負荷され、その瞬間に、作業ロールチョック〜ハウジング間のガタ、作業ロールベアリングのガタ、さらに作業ロールネック部の変形等によって、作業ロールはオフセット分力の方向に大略1mm程度水平方向に移動する。
【００１６】
本発明者は、このとき圧延材先端形状の不均一や作業ロール表面粗度の不均一等によって、作業ロール〜圧延材間に作用する摩擦力の挙動が上下および左右で不均一となることがあり、上記の作業ロールの瞬間的な水平方向移動がこれを助長し、この時に作業ロールオフセット量に上下および／または左右偏差を生じ、圧延材の反りや作業ロール〜補強ロール間スラスト力の発生に繋がることを知見した。
【００１７】
そこで作業ロールオフセット量を現状の１／２以下，好ましくは零にして，咬み込み時に瞬間的に発生するオフセット分力を現状の１／２以下、好ましくは零にして，作業ロールの水平方向位置を安定化させるために必要な水平方向力は圧延開始前から専用の装置にて与えておくことにより、圧延材咬み込み時の作業ロール位置を安定化することができ、反りや蛇行およびキャンバーの発生を防止することが可能となると考えた。
【００１８】
本発明者は、これら課題解決の基本的考え方に沿って、本発明を成すに至った。
その結果、圧延方向オフセット力に頼ることなく、作業ロールに略水平方向の外力を負荷する装置を設けることにより、圧延前の零点調整作業等のキスロール締め込み状態や圧延中に発生する圧延機の上下および左右（作業側WS／駆動側DS）における作業ロールのオフセット量の偏差を厳密に解消し、板反りや作業ロール〜補強ロール間に生じるスラスト力に起因する蛇行やキャンバー等の問題を解消することができる板圧延機および板圧延方法を提供するものである。
その要旨は、以下のとおりである。
【００１９】
（１）電動機によって駆動される上下一対の作業ロールと、該作業ロールに接して該作業ロールに負荷される圧延反力を支持する上下一対の補強ロールとを有する板圧延機であって、該上下作業ロールのそれぞれに対して圧延機の幅方向の中心を挟んで作業側および駆動側に各１箇所以上、合計２箇所以上の位置の該作業ロール胴部または軸部に、圧延機の入側または出側のどちらか片方から略水平方向の外力を負荷する装置を有し、前記作業ロールに負荷された水平方向外力は、作業ロールチョックを介して圧延機ハウジングのプロジェクトブロック、または、補強ロールチョックに繋がる作業ロールチョック支持部材により支持されており、
かつ、前記作業ロール軸心位置と補強ロール軸心位置の圧延方向オフセット量を該作業ロール半径と該補強ロール半径の和で除した値が上下ロールともに0.0025以下であることを特徴とする板圧延機。
（２）さらに、前記上下一対の補強ロールのそれぞれに対して圧延機の幅方向の中心を挟んで作業側および駆動側に各１箇所以上、合計２箇所以上の位置の該補強ロール胴部または軸部に、圧延機の入側または出側のどちらか片方から略水平方向の外力を負荷する装置を有することを特徴とする（１）に記載の板圧延機。
（３）前記補強ロールに負荷する水平方向外力の方向は、前記作業ロールに負荷される略水平方向外力と同じ方向であることを特徴とする（２）に記載の板圧延機。
（４）前記作業ロールに略水平方向の外力を負荷する装置は、該作業ロール胴部の端部近傍に力を負荷する位置に設けられていることを特徴とする（１）乃至（３）のいずれか一項に記載の板圧延機。
（５）前記作業ロールに略水平方向の外力を負荷する装置は、該作業ロールチョックの外側の作業ロール軸端部に力を負荷する位置に設けられていることを特徴とする（１）乃至（３）のいずれか一項に記載の板圧延機。
（６）前記作業ロールに略水平方向の外力を負荷する装置は、該作業ロール胴部の端部近傍に力を負荷する位置、および、該作業ロールチョックの外側の作業ロール軸端部に力を負荷する位置に設けられていることを特徴とする（１）乃至（３）のいずれか一項に記載の板圧延機。
（７）前記作業ロールに略水平方向の外力を負荷する装置は、該作業ロール胴部の端部近傍に力を負荷する位置に設けられ、かつ、該作業ロール胴部の中央部には、該作業ロール胴部の端部近傍に負荷される該水平方向外力の合計値よりも小さくかつ逆方向に略水平方向の外力を負荷する装置が設けられていることを特徴とする（１）乃至（３）のいずれか一項に記載の板圧延機。
（８）前記作業ロールに略水平方向の外力を負荷する装置は、該作業ロールチョックの外側の作業ロール軸端部に力を負荷する位置に設けられ、かつ、該作業ロール胴部の中央部には、該作業ロール軸端部に負荷される該水平方向外力と同方向に略水平方向の外力を負荷する装置が設けられていることを特徴とする（１）乃至（３）のいずれか一項に記載の板圧延機。
（９）前記作業ロールチョックと、圧延機ハウジングのプロジェクトブロック、または、補強ロールチョックに繋がる作業ロールチョック支持部材との間に、前記作業ロールに負荷される水平方向荷重を測定する作業ロール水平方向荷重検出装置を設けたことを特徴とする（１）乃至（８）のいずれか一項に記載の板圧延機。
（１０）前記作業ロールに略水平方向の外力を負荷する装置は、該作業ロールと接触する部分がローラ形式であることを特徴とする（１）乃至（９）のいずれか一項に記載の板圧延機。
（１１）前記作業ロールに略水平方向の外力を負荷する装置は、流体圧力を介して該作業ロールに力を伝達することができる静圧軸受形式であることを特徴とする（１）乃至（９）のいずれか一項に記載の板圧延機。
（１２）電動機によって駆動される上下一対の作業ロールと、該作業ロールに接して該作業ロールに負荷される圧延反力を支持する上下一対の補強ロールと、該上下作業ロールのそれぞれに対して圧延機の幅方向の中心を挟んで作業側および駆動側に各１箇所以上、合計２箇所以上の位置の該作業ロール胴部または軸部に、圧延機の入側または出側のどちらか片方から略水平方向の外力を負荷する装置を有し、前記作業ロールに負荷された水平方向外力は、作業側および駆動側の該作業ロールチョックおよび水平方向負荷を測定するための作業ロール水平方向荷重検出装置を介して、圧延機ハウジングのプロジェクトブロックまたは補強ロールチョックに繋がる作業ロールチョック支持部材で支持し、かつ、該作業ロール軸心位置と該補強ロール軸心位置の圧延方向オフセット量を該作業ロール半径と該補強ロール半径の和で除した値が0.0025以下であり、さらに圧延荷重を測定するための荷重検出装置を圧延機の作業側および駆動側それぞれに有する板圧延機による板圧延方法であって、
圧延作業を開始する前の圧下位置零調作業において、ロール回転状態で該板圧延機の圧下装置を操作してキスロール締め込み状態として、該圧延荷重測定用の荷重検出装置による作業側荷重測定値と駆動側荷重測定値の合計値を予め与えられた零調荷重に設定し、前記作業ロール水平方向荷重検出装置の出力が作業側および駆動側それぞれ予め決められた値になるように前記作業側および駆動側の水平方向外力負荷装置から作業ロールに負荷する水平方向外力を調整し、この状態を維持しつつ前記圧延荷重測定用の荷重検出装置による作業側荷重測定値と駆動側荷重測定値とが等しくなるように圧下位置の作業側と駆動側のバランスを調整して圧下位置零点を決定し、この圧下位置零点に基づいて圧延作業を実施することを特徴とする板圧延方法。
（１３）電動機によって駆動される上下一対の作業ロールと、該作業ロールに接して該作業ロールに負荷される圧延反力を支持する上下一対の補強ロールと、該上下作業ロールのそれぞれに対して圧延機の幅方向の中心を挟んで作業側および駆動側に各１箇所以上、合計２箇所以上の位置の該作業ロール胴部または軸部に、圧延機の入側または出側のどちらか片方から略水平方向の外力を負荷する装置を有し、前記作業ロールに負荷された水平方向外力は、作業側および駆動側の該作業ロールチョックおよび水平方向負荷を測定するための作業ロール水平方向荷重検出装置を介して、圧延機ハウジングのプロジェクトブロックまたは補強ロールチョックに繋がる作業ロールチョック支持部材で支持し、かつ、該作業ロール軸心位置と該補強ロール軸心位置の圧延方向オフセット量を該作業ロール半径と該補強ロール半径の和で除した値が0.0025以下である板圧延機による板圧延方法であって、
前記作業ロール水平方向荷重検出装置の出力が作業側および駆動側それぞれ予め決められた値になるように前記作業側および駆動側の水平方向外力負荷装置から作業ロールに負荷する水平方向外力を調整し、この状態を維持しつつ圧延作業を実施することを特徴とする板圧延方法。
【００２０】
＜作用の説明＞
（１）の発明によれば、作業ロールに、略水平方向の外力を片側から負荷する装置を上下作業ロールの両方に設けることにより、作業ロールを剛性の高い支持部材に押付けて軸芯位置を安定化させることができるとともに、作業ロール軸心位置と補強ロール軸心位置の圧延方向オフセット量を該作業ロール半径と該補強ロール半径の和で除した値を上下ロールともに0.0025以下にすることにより水平方向のオフセット分力を従来の１／２以下に低減できるので、圧延中や圧延前の零点調整作業等のキスロール締め込み状態で発生する圧延機の上下および左右（作業側WS／駆動側DS）における作業ロールのオフセット量の偏差を厳密に解消し、板反りや作業ロール〜補強ロール間に生じるスラスト力に起因する蛇行やキャンバー等の問題を解消することができる。
【００２１】
（２）の発明によれば、補強ロールに略水平方向の外力を片側から負荷する装置を、上下補強ロールの両方に設けることにより、補強ロールを剛性の高い支持部材に押付けて軸芯位置を安定化させることができるので、さらに、板反りや作業ロール〜補強ロール間に生じるスラスト力に起因する蛇行やキャンバーをさらに低減することができる。
【００２２】
（３）の発明によれば、作業ロールと補強ロールに同じ方向、例えば，圧延出側方向に水平力を負荷する構成とする場合，作業ロール、補強ロールともに水平方向位置を決める基準面はハウジングウィンドウの出側面となり、作業ロールと補強ロールの水平面内での平行度を高精度に維持することが容易となる。
【００２３】
（４）の発明によれば、作業ロールに略水平方向の外力を負荷する装置を作業ロール胴部の端部近傍に力を負荷する位置に設けることにより、外力を負荷し易いうえ、外力による作業ロールの水平方向撓みが過大になるのを防止することができる。
【００２４】
（５）の発明によれば、作業ロールに略水平方向の外力を負荷する装置を作業ロールチョックの外側の作業ロール軸端部に力を負荷する位置に設けることにより、圧延材のガイドとの干渉を回避できるうえ、ベアリング部の水平方向隙間を低減することができる。
【００２５】
（６）の発明によれば、作業ロールに略水平方向の外力を負荷する装置を作業ロール胴部の端部近傍に力を負荷する位置、および、作業ロールチョックの外側の作業ロール軸端部に力を負荷する位置に設けることにより、外力による作業ロールの水平方向撓みを相殺することができる。
【００２６】
（７）の発明によれば、作業ロールに略水平方向の外力を負荷する装置を作業ロール胴部の端部近傍に力を負荷する位置に設け、かつ、作業ロール胴部の中央部に、該作業ロール胴部の端部近傍に負荷される該水平方向外力の合計値よりも小さくかつ逆方向に略水平方向の外力を負荷する装置を設けることにより、異なる方向の外力による作業ロールの水平方向撓みを相殺することができる。
【００２７】
（８）の発明によれば、作業ロールに略水平方向の外力を負荷する装置を作業ロールチョックの外側の作業ロール軸端部に力を負荷する位置に設け、かつ、作業ロール胴部の中央部に、作業ロール軸端部に負荷される該水平方向外力と同方向に略水平方向の外力を負荷する装置を設けることにより、同じ方向の外力による作業ロールの水平方向撓みを相殺することができる。
【００２８】
（９）の発明によれば、作業ロールチョックと、圧延機ハウジングのプロジェクトブロック、または、補強ロールチョックに繋がる作業ロールチョック支持部材との間に、作業ロールに負荷される水平方向荷重を測定する作業ロール水平方向荷重検出装置を設けることにより、左右の水平方向外力を等しく保持することができるので、常に作業ロールを補強ロールに対して平行に維持することが可能になり、スラスト力の発生による板の蛇行やキャンバーを防止することができる。
【００２９】
（１０）の発明によれば、作業ロールに略水平方向の外力を負荷する装置の作業ロールと接触する部分がローラ形式とすることにより、作業ロールに損傷を与えることなしに外力を負荷することができ、また、圧延時に作業ロールが上下動した場合でも傾斜した状態で略水平方向の外力を負荷することができる。
【００３０】
（１１）の発明によれば、作業ロールに略水平方向の外力を負荷する装置を流体圧力を介して該作業ロールに力を伝達することができる静圧軸受形式とすることにより、作業ロールに非接触の状態で外力を負荷することができるので作業ロールを傷つける心配がない上に、外力負荷装置側もほとんど損傷することがなくなる。
【００３１】
（１２）の発明によれば、作業ロール水平方向荷重検出装置の出力が作業側および駆動側それぞれ予め決められた値になるように前記作業側および駆動側の水平方向外力負荷装置から作業ロールに負荷する水平方向外力を調整し、この状態を維持しつつ前記圧延荷重測定用の荷重検出装置による作業側荷重測定値と駆動側荷重測定値とが等しくなるように圧下位置の作業側と駆動側のバランスを調整して圧下位置零点を決定し、この圧下位置零点に基づいて圧延作業を実施することにより、左右の水平方向外力を等しく保持し、ロール間スラスト力を極小化した状態の正確な圧下位置零点を常に再現することができるので、板の蛇行やキャンバーを防止することができる。
【００３２】
（１３）の発明によれば、作業ロール水平方向荷重検出装置の出力が作業側および駆動側それぞれ予め決められた値になるように前記作業側および駆動側の水平方向外力負荷装置から作業ロールに負荷する水平方向外力を調整し、この状態を維持するよう該水平方向外力を制御しつつ圧延することにより、左右の水平方向外力を等しく保持することができるので、圧延中のスラスト力の発生による板の蛇行やキャンバーの発生を防止することができる。
【発明の効果】
【００３３】
本発明により得られる効果について説明する。本発明により、圧延前の零点調整作業等のキスロール締め込み状態や圧延中に発生する圧延機の上下および左右（作業側WS／駆動側DS）における作業ロールのオフセット量の偏差を厳密に解消し、板反りや作業ロール〜補強ロール間に生じるスラスト力に起因する蛇行やキャンバー等の問題を解消することができる板圧延機および板圧延方法を提供することができるなど、産業上有用な著しい効果を奏する。
【発明を実施するための最良の形態】
【００３４】
本発明を実施するための最良の形態について図１乃至図１０に基づいて詳細に説明する。
【００３５】
図１乃至図１０において、１１,１２,１３,１４は作業ロール押さえローラ（１１、１２は上作業ロール押さえローラ、１３、１４は下作業ロール押さえローラ。以下同様に、被圧延材のパスラインより上側を「上」、下側を「下」と呼ぶ。）、２１,２２は作業ロール、３１，３２，３３，３４は作業ロールチョック、４１，４２はプロジェクトブロック（圧延機ハウジング）、５１，５２は補強ロール、６１，６２は中間ロール、７１，７２，７３，７４は中間ロール押さえローラ、８１，８２，８３，８４は補強ロールチョックに繋がる作業ロール支持部材、９１，９２，９３，９４は補強ロール押さえローラ、１０１，１０２は作業ロール水平方向荷重検出装置、１１１，１１２は押さえローラ荷重検出装置、１２１,１２２,１２３,１２４は作業ロール押さえ用静圧軸受、１３１，１３２は圧延荷重測定用荷重検出装置を示し、同じ要素については同じ番号を付すことにより重複した説明を省略する。
【００３６】
図１は、本発明の板圧延機における第１の実施形態を例示する図である。
本発明の板圧延機は、電動機（図示せず）によって駆動される作業ロール２１,２２と、該作業ロール２１,２２に接して該作業ロール２１,２２に負荷される圧延反力を支持する補強ロール５１，５２と、該作業ロール２１,２２に対して圧延機の幅方向の中心を挟んで作業側および駆動側に各１箇所以上、合計２箇所以上の位置に略水平方向の外力を負荷する装置（作業ロール押さえローラ１１,１２,１３,１４）とを有する。
また、前述したように、水平方向のオフセット分力を従来の１／２以下に低減するために、作業ロール軸心位置と補強ロール軸心位置の圧延方向オフセット量を該作業ロール半径と該補強ロール半径の和で除した値を上下ロールともに0.0025以下にすることが重要である。
【００３７】
板圧延機には、図２（a）に示すプロジェクトブロック形式の圧延機と、図２（b）に示す補強ロールチョック抱え込み形式の圧延機があり、プロジェクトブロック形式の圧延機の場合は、作業ロール２１,２２に負荷された水平方向外力は、作業ロールチョック３１,３２,３３,３４を介して圧延機ハウジングのプロジェクトブロック４１,４２で支持され、補強ロールチョック抱え込み形式の圧延機の場合は、補強ロールチョックに繋がる作業ロールチョック支持部材８１，８２，８３，８４により支持される。
【００３８】
作業ロール２１，２２に略水平方向の外力を負荷する装置として、例えば、図１（a）に示すような作業ロール押さえローラ１１,１２,１３,１４を設ける。この作業ロール押さえローラ１１,１２,１３,１４で、作業ロール２１,２２を押し付ける。作業ロールを押し付けることにより、圧延機がプロジェクトブロック形式の場合（図２(a)）は、作業ロールの軸と軸受け間のガタ、軸受け自体のガタ、軸受けと軸受けハウジング（ロールチョック）間のガタ，およびロールチョックとプロジェクトブロック間のガタが吸収され、剛性の高い圧延機ハウジングのプロジェクトブロック面を基準面とすることができる。圧延機が補強ロールチョック抱え込み方式の場合（図２(b)）は同様に、作業ロールの軸と軸受け間のガタ、軸受け自体のガタ、軸受けと軸受けのハウジング（ロールチョック）間のガタ，ロールチョックと作業ロールチョック支持部材間のガタ，および作業ロールチョック支持部材と圧延機ハウジングウィンドウ面間のガタが吸収され、剛性の高い圧延機ハウジングのウィンドウ面を基準面とすることができる。
【００３９】
このように、剛性の高い支持部材に押付けて軸芯位置を安定化させることができるので，圧延中や圧延前の零点調整作業等のキスロール締め込み状態で発生する圧延機の上下および左右（作業側WS／駆動側DS）における作業ロールのオフセット量の偏差を圧延材の咬み込み時を含めて厳密に解消し、さらに作業ロール軸心位置と補強ロール軸心位置の圧延方向オフセット量を該作業ロール半径と該補強ロール半径の和で除した値を0.0025以下にすることにより水平方向のオフセット分力を従来の１／２以下に低減できるので、圧延材咬み込みの瞬間も含めて作業ロールの軸芯位置を安定化させることができ，板反りや作業ロール〜補強ロール間に生じるスラスト力に起因する蛇行やキャンバー等の問題を解消することができる。
【００４０】
前記作業ロール２１,２２に略水平方向の外力を負荷する装置は、図１（a）に示すように、該作業ロール胴部の端部近傍に力を負荷する位置に設けることが好ましい。例えば、図１（a）に示すような作業ロール押さえローラ１１,１２,１３,１４を作業ロール胴部の端部近傍に力を負荷する位置に設けることにより、外力を負荷し易いうえ、外力による作業ロールの撓みを防止することができる。
【００４１】
また、作業ロール２１,２２と接触する部分がローラ形式にすることにより、作業ロールに損傷を与えることなしに外力を負荷することができ、また、圧延時に作業ロールが上下動した場合でも傾斜した状態で略水平方向の外力を負荷することができる。
【００４２】
本発明において、水平方向の外力を負荷する装置（水平力負荷装置）は、作業ロールの片側であれば、圧延機入側でも出側でもかまわない。本発明では、作業ロールオフセット量は極めて小さく（好ましくは零）、水平方向のオフセット分力は極めて小さくなる。また、押さえローラによって負荷する水平方向外力は、該オフセット分力よりも必ず大きくするので、その設置位置は圧延機入側でも出側でも良い。ただし、有意なオフセット量を取っている場合はオフセット分力の方向と水平方向外力の方向は一致する方が好ましい。
【００４３】
また、作業ロールの両側に対向するように水平力負荷装置を設置してもよいが、その場合は，一方の水平力を他方より大きくして，その合力が作業ロールチョックを介して圧延機ハウジングに伝わる構成にしなければならない．以上の説明は，作業ロールの水平外力負荷装置と同様に、以下に説明する中間ロールや補助ロールにも適用できる。
【００４４】
なお、本発明は、図１（b）に示すような、作業ロール２１,２２と補強ロール５１,５２を有する４段圧延機(４Hiミル)の他、図１（c）に示すような、作業ロール２１,２２、中間ロール６１,６２、補強ロール５１,５２を有する５段圧延機や６段圧延機(６Hiミル)にも適用できる。中間ロール６１,６２を有する５段圧延機や６段圧延機の場合、本発明における「補強ロール」は、作業ロール２１,２２を直接サポートする中間ロール６１,６２をも意味する。
【００４５】
また、本発明における作業ロールに負荷する「外力」という表現は、１）圧延荷重とは独立に作用し、２）力を負荷する装置はハウジング等の作業ロールの外側の構造物に取り付けられている、という意味で用いている。
図３は、本発明の板圧延機における第２の実施形態を例示する図である。
【００４６】
本発明の板圧延機における第２の実施形態は、前述の作業ロールに略水平方向の外力を負荷する装置に加えて、前記補強ロール５１,５２に対して圧延機の幅方向の中心を挟んで作業側および駆動側に各１箇所以上、合計２箇所以上の位置に略水平方向の外力を負荷する装置（補強ロール押さえローラ９１,９２,９３,９４）を有することを特徴とする。
【００４７】
図３（a）４Hiミル、(b)６Hiミルの場合に示すように、例えば、図３（a）,（b）に示すような補強ロール押さえローラ９１,９２,９３,９４を設ける。この補強ロール押さえローラで、補強ロールに略水平方向の外力を負荷することにより、補強ロール５１,５２を、結果的に、剛性の高い圧延機のハウジング部材に押付けて軸芯位置を安定化させることができるので、さらに、板反りや作業ロール〜補強ロール間に生じるスラスト力に起因する蛇行やキャンバーをさらに低減することができる。
【００４８】
作業ロールに圧延出側方向のオフセットを与える従来技術の場合、作業ロールには圧延方向、補強ロールには圧延逆方向のオフセット力が作用し、この結果，作業ロールの水平方向位置を決める基準面はハウジングウィンドウの出側面，補強ロールの水平方向位置を決める基準面はハウジングウィンドウの入側面となる。この場合、作業ロールと補強ロールの水平面内での平行度を維持するにはハウジングウィンドウの入側面と出側面の平行度を高精度に管理する必要があり、平行度の計測方法にも困難性を生じ誤差を生じやすくなる。
【００４９】
これに対して図３に示すように、作業ロール２１,２２と補強ロール５１,５２に同じ方向、例えば，圧延出側方向の水平力を負荷する構成とする場合，作業ロール２１,２２、補強ロール５１,５２ともに水平方向位置を決める基準面はハウジングウィンドウの出側面となり、作業ロール２１,２２と補強ロール５１,５２の水平面内での平行度を高精度に維持することが容易となる。
【００５０】
図４は、本発明の板圧延機における第３の実施形態を例示する図である。
本発明の板圧延機における第３の実施形態は、前記作業ロール２１,２２に略水平方向の外力を負荷する装置（作業ロール押さえローラ１１,１２）が、該作業ロールチョック３１,３２の外側の作業ロール軸端部に力を負荷する位置に設けられていることを特徴とする。
【００５１】
作業ロール２１,２２に、図４に示すような、作業ロール押さえローラ１１,１２を作業ロールチョック３１,３２の外側の作業ロール軸端部に力を負荷する位置に設けることにより、圧延材のガイドとの干渉を回避できるうえ、ベアリング部の水平方向隙間を低減することができる。
なお、作業ロール２１,２２に略水平方向の外力を負荷する装置（作業ロール押さえローラ１１,１２）を作業ロールチョック３１,３２に取り付けてもよく、この場合は、チョックを含めた作業ロール２１,２２の内力となるので作業ロールチョック３１,３２の位置を安定化させるため、例えば特許文献１に記載されているような作業ロールチョック３１,３２を水平方向に押し付ける装置が必須となる。
【００５２】
図５は、本発明の板圧延機における第４の実施形態を例示する図である。
本発明の板圧延機における第４の実施形態は、前記作業ロール２１,２２に略水平方向の外力を負荷する装置（作業ロール押さえローラ１１,１２,１３,１４）が、該作業ロール２１,２２胴部の端部近傍に力を負荷する位置、および、該作業ロールチョック３１,３２の外側の作業ロール軸端部に力を負荷する位置に設けられていることを特徴とする。
【００５３】
作業ロール２１,２２に、図５に示すような、作業ロール押さえローラ１１,１２,１３,１４を作業ロール２１,２２胴部の端部近傍に力を負荷する位置、および、作業ロールチョック３１,３２の外側の作業ロール軸端部に力を負荷する位置に設けることにより、外力による作業ロールの水平方向撓みを相殺することができる。
【００５４】
図６は、本発明の板圧延機における第５の実施形態を例示する図である。
本発明の板圧延機における第５の実施形態は、前記作業ロール２１,２２に略水平方向の外力を負荷する装置（作業ロール押さえローラ１１,１２）が、該作業ロール２１,２２胴部の端部近傍に力を負荷する位置に設けられ、かつ、該作業ロール２１,２２胴部の中央部には、該作業ロール胴部の端部近傍に負荷される該水平方向外力の合計値よりも小さくかつ逆方向に略水平方向の外力を負荷する装置（作業ロール押さえローラ１３）が設けられていることを特徴とする。
【００５５】
作業ロール２１,２２に、図６に示すような、作業ロール押さえローラ１１,１２を作業ロール２１,２２胴部の端部近傍に力を負荷する位置に設け、かつ、作業ロール２１,２２胴部の中央部に、該作業ロール胴部の端部近傍に負荷される該水平方向外力の合計値よりも小さくかつ逆方向に作業ロール押さえローラ１３を設けることにより、異なる方向の外力による作業ロールの水平方向撓みを相殺することができる。
【００５６】
図７は、本発明の板圧延機における第６の実施形態を例示する図である。
本発明の板圧延機における第６の実施形態は、前記作業ロール２１,２２に略水平方向の外力を負荷する装置（作業ロール押さえローラ１１,１２）が、該作業ロールチョック３１,３２の外側の作業ロール軸端部に力を負荷する位置に設けられ、かつ、該作業ロール胴部の中央部には、該作業ロール軸端部に負荷される該水平方向外力と同方向に略水平方向の外力を負荷する装置（作業ロール押さえローラ１３）が設けられていることを特徴とする。
【００５７】
作業ロール２１,２２に、図７に示すような、作業ロール押さえローラ１１,１２を作業ロールチョック３１,３２の外側の作業ロール軸端部に力を負荷する位置に設け、かつ、作業ロール胴部の中央部に、作業ロール押さえローラ１３を設けることにより、同じ方向の外力による作業ロールの水平方向撓みを相殺することができる。
【００５８】
図８は、本発明の板圧延機における第７の実施形態を例示する図である。
本発明の板圧延機における第７の実施形態は、前記作業ロールチョック３１,３２と、圧延機ハウジングのプロジェクトブロック４１,４２との間に、前記作業ロール２１,２２に負荷される水平方向荷重を測定する作業ロール水平方向荷重検出装置１０１，１０２を設けたことを特徴とする。圧延機ハウジングのプロジェクトブロック４１,４２は、補強ロールチョックに繋がる作業ロールチョック支持部材８１，８２，８３，８４であってもよい。
【００５９】
作業ロールチョック３１,３２と、圧延機ハウジングのプロジェクトブロック４１,４２との間に、作業ロール２１,２２に負荷される水平方向荷重を測定する作業ロール水平方向荷重検出装置１０１，１０２を設けることにより、左右の作業ロールネック部および作業ロールベアリングに作用する水平方向力を検知して、必要に応じて押えローラ１１，１２で与える水平方向外力を調整して、これらを等しく保持することができるので、スラスト力の発生による板の蛇行やキャンバーを防止することができる。このとき、圧延機ハウジングのプロジェクトブロック４１,４２は、補強ロールチョックに繋がる作業ロールチョック支持部材８１，８２，８３，８４であっても同様な効果が得られる。
【００６０】
また、押さえローラの荷重検出装置１１１，１１２の配備は，好ましい実施態様であって押し力を与える油圧シリンダーの圧力で代替することもできる。なお作業ロール水平方向荷重検出装置１０１，１０２で測定される水平方向力は，押さえローラから作用し押さえローラ荷重検出装置１１１，１１２で測定される水平方向力と，オフセット力を含む補強ロールから作業ロールに作用する力との合力であるので，作業ロール水平方向荷重検出装置１０１，１０２の機能を押さえローラ荷重検出装置１１１，１１２で代替することはできない。
言うまでもないが、作業ロール水平方向荷重検出装置及び押さえローラの荷重検出装置は、上下作業ロールに対して設置することが望ましい。
【００６１】
図９は、本発明の板圧延機における第８の実施形態を例示する図である。
本発明の板圧延機における第８の実施形態は、前記作業ロール２１,２２に略水平方向の外力を負荷する装置（作業ロール押さえ用静圧軸受１２１,１２２,１２３,１２４）が、流体圧力を介して該作業ロールに力を伝達することができる静圧軸受形式であることを特徴とする。
【００６２】
作業ロール２１,２２に略水平方向の外力を負荷する装置を油や水などの流体圧力を介して該作業ロールに力を伝達することができる静圧軸受形式とすることにより、作業ロールに非接触の状態で外力を負荷することができるので作業ロールを傷つける心配がない上に、外力負荷装置側もほとんど損耗することがなくなる。
【００６３】
図１０は、本発明の板圧延方法における実施形態を例示するフロー図である。
本発明の板圧延方法に用いる板圧延機の実施形態は前述の通りであるので省略する。まず、圧延作業を開始する前の圧下位置零点調整作業において、ロール回転状態で該板圧延機の圧下装置を操作してキスロール締め込み状態として、該圧延荷重測定用の荷重検出装置１３１，１３２による作業側荷重測定値と駆動側荷重測定値の合計値を予め与えられた零点調整荷重に設定する（図１０  S-1）。
【００６４】
次に、作業ロール水平方向荷重検出装置１０１，１０２の出力が作業側および駆動側それぞれ予め決められた値になるように前記作業側および駆動側の水平方向外力負荷装置から作業ロールに負荷する水平方向外力を調整する（図１０  S-2）。
【００６５】
次に、作業ロール水平方向荷重検出装置１０１，１０２の作業側WS／駆動側DS負荷バランスを維持しつつ、前記圧延荷重測定用の荷重検出装置１３１，１３２による作業側荷重測定値と駆動側荷重測定値とが等しくなるように圧下位置の作業側と駆動側のバランスを調整して圧下位置零点を決定する（図１０  S-3）。
【００６６】
そして、この圧下位置零点に基づいて圧延作業を実施する（図１０  S-4）。
作業ロール水平方向荷重検出装置１０１，１０２の出力が作業側および駆動側それぞれ予め決められた値になるように前記作業側および駆動側の水平方向外力負荷装置から作業ロールに負荷する水平方向外力を調整することで、作業ロールネック部および作業ロールベアリングに作用する水平方向力を左右均等にでき、その結果、作業ロールを補強ロールに対して厳密に平行に保持することができる。また、この状態を維持しつつ前記圧延荷重測定用の荷重検出装置１３１，１３２による作業側荷重測定値と駆動側荷重測定値とが等しくなるように圧下位置の作業側と駆動側のバランスを調整して圧下位置零点を決定することで、スラスト力等の外乱のない正確な圧下位置零点が得られ、この圧下位置零点に基づいて圧延作業を実施することにより、板の蛇行やキャンバーを防止することができる。
なお、本発明においては、圧下位置零点調整時のキスロール締め込み状態もロールは回転状態であることを前提としている。
【００６７】
また通常、圧下零点調整は作業ロール組替時に行われるので、作業ロールは研削直後の左右対称のプロフィールになっていると考えることができるが、補強ロールについては必ずしも組替直後ではないため、使用中の偏摩耗等によって一般に左右非対称になっていると考える必要がある。
【００６８】
この状態で、キスロール締め込みを実施した場合、補強ロール直径の左右アンバランスによって補強ロールから作業ロールに作用するオフセット分力は左右非対称になり、これが作業ロールネックおよびベアリング隙の変化を介して作業ロール軸を水平面内で僅かに傾けることになり、その結果、作業ロール〜補強ロール間にスラスト力が発生し、圧延荷重検出用荷重検出装置１３１，１３２の左右バランスの外乱となり、この状態で圧下位置の零点調整を実施すると、正確な調整ができなくなり、蛇行およびキャンバーの発生原因となる。
【００６９】
これに対して（１２）に記載したように、作業ロールの水平方向負荷測定用荷重検出装置１０１，１０２の出力が作業側WSと駆動側DSで同じになるように作業ロールに負荷する水平方向外力を調整すると、作業ロールネックおよび作業ロールベアリングに作用する水平力は駆動側と作業側で等しくなるため、作業ロール軸を補強ロールに偏摩耗がない場合の状態と同じ姿勢に維持できるのでロール間スラスト力が発生せず、正確な圧下位置零点調整が可能となる。
【００７０】
また、（１３）に記載したように、作業ロール水平方向荷重検出装置１０１，１０２の出力が作業側WSおよび駆動側DSそれぞれ予め決められた値になるように前記作業側および駆動側の水平方向外力負荷装置から作業ロールに負荷する水平方向外力を調整し、この状態を維持するよう該水平方向外力を制御しつつ圧延することにより、左右の水平方向外力を等しく保持することができるので、常に作業ロールを補強ロールに対して平行に維持することが可能になり、圧延中のスラスト力の発生による板の蛇行やキャンバーを防止することができる。
【００７１】
以上、図８に示した構成を参考に説明したが、前述したように、作業ロール水平方向荷重検出装置は、上下の作業ロールに対応するように設置することが好ましく、従って上記説明も、上下に設置した作業ロール水平方向荷重検出装置の出力値を基に、零点調整作業や圧延制御を行うことは、言うまでもない。
【００７２】
また、作業ロールと同様に、補助ロールや中間ロールにも水平方向力付与装置を設置する場合は、補助ロールや中間ロールに水平方向荷重検出装置を設定してもよく、これらの検出装置により検出される出力をも合わせて、圧延位置の零点調整を行い、これら水平方向荷重検出装置の出力が作業側WSおよび駆動側DSそれぞれ予め決められた値になるように前記作業側および駆動側の水平方向外力負荷装置から作業ロール、中間ロール、補助ロールに負荷する水平方向外力を調整し、この状態を維持するよう該水平方向外力を制御しつつ圧延することにより、左右の水平方向外力を等しく保持することができるので、さらに精度よく圧延中のスラスト力の発生による板の蛇行やキャンバーを防止することができる。
【００７３】
本発明により、圧延中や圧延前の零点調整作業等のキスロール締め込み状態で発生する圧延機の上下および左右（作業側WS／駆動側DS）における作業ロールのオフセット量の偏差を厳密に解消し、板反りや作業ロール〜補強ロール間に生じるスラスト力に起因する蛇行やキャンバー等の問題を解消することができる板圧延機および板圧延方法を提供することができるなど、産業上有用な著しい効果を奏する。
【図面の簡単な説明】
【００７４】
【図１（ａ）】本発明の板圧延機における第１の実施形態を例示する平面図である。
【図１（ｂ）】本発明の板圧延機（４Ｈｉミルの場合）における第１の実施形態を例示する側面図である。
【図１（ｃ）】本発明の板圧延機（６Ｈｉミルの場合）における第１の実施形態を例示する側面図である。
【図２（ａ）】本発明の板圧延機（プロジェクトブロック形式）における第１の実施形態を例示する圧延機の側面図である。
【図２（ｂ）】本発明の板圧延機（補強ロールチョック抱え込み方式）における第１の実施形態を例示する圧延機の側面図である。
【図３（ａ）】本発明の板圧延機（４Ｈｉミルの場合）における第２の実施形態を例示する側面図である。
【図３（ｂ）】本発明の板圧延機（６Ｈｉミルの場合）における第２の実施形態を例示する側面図である。
【図４】本発明の板圧延機における第３の実施形態を例示する平面図である。
【図５】本発明の板圧延機における第４の実施形態を例示する平面図である。
【図６】本発明の板圧延機における第５の実施形態を例示する平面図である。
【図７】本発明の板圧延機における第６の実施形態を例示する平面図である。
【図８】本発明の板圧延機における第７の実施形態を例示する平面図である。
【図９】本発明の板圧延機（４Ｈｉミルの場合）における第８の実施形態を例示する側面図である。
【図１０】本発明の板圧延方法における実施形態を例示するフロー図である。
【符号の説明】
【００７５】
１１,１２,１３,１４    作業ロール押さえローラ
２１,２２    作業ロール
３１，３２，３３，３４    作業ロールチョック
４１，４２    プロジェクトブロック（圧延機ハウジング）
５１，５２    補強ロール
６１，６２    中間ロール
７１，７２，７３，７４    中間ロール押さえローラ
８１，８２，８３，８４    補強ロールチョックに繋がる作業ロールチョック支持部材
９１，９２，９３，９４    補強ロール押さえローラ
１０１，１０２    作業ロール水平方向荷重検出装置
１１１，１１２    押さえローラ荷重検出装置
１２１,１２２,１２３,１２４    作業ロール押さえ用静圧軸受
１３１，１３２    圧延荷重測定用荷重検出装置
【国際調査報告】
2009113413.tif 000013
2009113413.tif 000014